(57)【要約】  悪臭結合ポリマーと、悪臭制御構成成分と、水性キャリアと、を含むフレッシュニング組成物、並びに、その方法が提供される。いくつかの実施形態では、フレッシュニング組成物は、約１，０００〜約２，０００，０００の分子量を有するホモポリマーポリエチレンイミンと揮発性アルデヒドの混合物を含む。このようなフレッシュニング組成物を使用して、無生物表面上又は空中の悪臭及び／又は微生物を減少させてもよい。
2013514151.tif 000002
【特許請求の範囲】
【請求項１】
悪臭を減少させるためのフレッシュニング組成物であって、前記組成物は、
有効量の悪臭結合ポリマーと、
悪臭を中和するための２つ以上の揮発性アルデヒドの混合物を有効量含む悪臭制御構成成分であって、前記２つ以上の揮発性アルデヒドは、２−エトキシベンジルアルデヒド、２−イソプロピル−５−メチル−２−ヘキセナール、５−メチルフルフラール、５−メチル−チオフェン−カルボキシアルデヒド、アドキサル、ｐ−アニスアルデヒド、ベンジルアルデヒド、ブルゲオナール、ケイ皮アルデヒド、サイマール、デシルアルデヒド、フローラルスーパー、フロルヒドラル、ヘリオナル、ラウリンアルデヒド、リグストラール、リラール、メロナール、ｏ−アニスアルデヒド、ピノアセトアルデヒド、Ｐ．Ｔ．ブシナール、チオフェンカルボキシアルデヒド、トランス−４−デセナール、トランストランス２，４−ノナジエナール、ウンデシルアルデヒド及びこれらの混合物からなる群から選択される、悪臭制御構成成分と、
水性キャリアと、
を含む、フレッシュニング組成物。
【請求項２】
前記２つ以上の揮発性アルデヒドが、２−エトキシベンジルアルデヒド、２−イソプロピル−５−メチル−２−ヘキセナール、５−メチルフルフラール、ケイ皮アルデヒド、フローラルスーパー、フロルヒドラル、ｏ−アニスアルデヒド、ピノアセトアルデヒド、トランス−４−デセナール及びこれらの混合物からなる群から選択され、好ましくは、フロルスーパー（flor super）及びｏ−アニスアルデヒドを含む、請求項１に記載の組成物。
【請求項３】
前記２つ以上の揮発性アルデヒドが、０．００１トール〜０．１００トール（０．１３３Ｐａ〜１３．３Ｐａ）のＶＰを有する、請求項１に記載の組成物。
【請求項４】
前記２つ以上の揮発性アルデヒドが、アコードＡ、アコードＢ、アコードＣ、及びこれらの混合物からなる群から選択される揮発性アルデヒドの混合物を含む、請求項１に記載の組成物。
【請求項５】
前記２つ以上の揮発性アルデヒドが、前記悪臭制御構成成分の１重量％〜１０重量％のアコードＡを含む揮発性アルデヒドの混合物を含む、請求項１に記載の組成物。
【請求項６】
前記悪臭制御構成成分が、前記組成物の０．００１重量％〜１重量％の脂肪族アルデヒドを更に含む、請求項１に記載の組成物。
【請求項７】
カルボン酸、ジカルボン酸、Ｎ−（２−アセトアミド）−２−アミノエタンスルホン酸及びこれらの混合物からなる群から選択される緩衝剤を更に含む、請求項１に記載の組成物。
【請求項８】
マレイン酸を更に含む、請求項１に記載の組成物。
【請求項９】
前記組成物のｐＨが５〜８である、請求項１に記載の組成物。
【請求項１０】
前記組成物がアニオン性界面活性剤を含まない、請求項１に記載の組成物。
【請求項１１】
前記組成物が前記組成物の３重量％以下の界面活性剤を含む、請求項１に記載の組成物。
【請求項１２】
前記水性キャリアが９０％〜９９．５％の量で存在する、請求項１に記載の組成物。
【請求項１３】
悪臭を減少させるフレッシュニング組成物であって、前記組成物は、
有効量の悪臭結合ポリマーと、
悪臭制御構成成分と、
を含み、前記悪臭制御構成成分は、
少なくとも１つの揮発性アルデヒドと、
２５℃で０．０１〜１３の蒸気圧を有する酸触媒と、
を含む、フレッシュニング組成物。
【請求項１４】
前記酸触媒が、２５℃で０．０１〜２トール（１．３３Ｐａ〜２６７Ｐａ）の蒸気圧を有する、請求項１３に記載の組成物。
【請求項１５】
前記酸触媒が、好ましくは５−メチルチオフェンカルボン酸である、請求項１３に記載の組成物。
【請求項１６】
前記酸触媒が、前記悪臭制御構成成分の０．１重量％〜０．４重量％、好ましくは前記悪臭制御構成成分の０．４重量％の量で存在する、請求項１３に記載の組成物。
【請求項１７】
前記少なくとも１つの揮発性アルデヒドが、２−エトキシベンジルアルデヒド、２−イソプロピル−５−メチル−２−ヘキセナール、５−メチルフルフラール、５−メチル−チオフェン−カルボキシアルデヒド、アドキサル、ｐ−アニスアルデヒド、ベンジルアルデヒド、ブルゲオナール、ケイ皮アルデヒド、サイマール、デシルアルデヒド、フローラルスーパー、フロルヒドラル、ヘリオナル、ラウリンアルデヒド、リグストラール、リラール、メロナール、ｏ−アニスアルデヒド、ピノアセトアルデヒド、Ｐ．Ｔ．ブシナール、チオフェンカルボキシアルデヒド、トランス−４−デセナール、トランストランス２，４−ノナジエナール、ウンデシルアルデヒド及びこれらの混合物からなる群から選択される２つ以上の揮発性アルデヒドの混合物である、請求項１３に記載の組成物。
【請求項１８】
前記悪臭結合ポリマーが、少なくとも１５０ダルトンの分子量を有し、１５％〜８０％の第一級アミノ基を有するポリアミンである、請求項１〜１７のいずれか一項に記載の組成物。
【請求項１９】
前記悪臭結合ポリマーが、１，０００〜２，０００，０００ダルトン、好ましくは２５，０００ダルトンの分子量を有するホモポリマーポリエチレンイミンである、請求項１〜１８のいずれか一項に記載の組成物。
【請求項２０】
前記悪臭結合ポリマーが、前記組成物の０．０１重量％〜１重量％、好ましくは０．０１重量％〜０．０７重量％の量で存在する、請求項１〜１９のいずれか一項に記載の組成物。
【請求項２１】
ａ）請求項１〜１３のいずれか一項に記載のフレッシュニング組成物を提供する工程と、
ｂ）有効量の前記フレッシュニング組成物を無生物表面又は空中に散布する工程と、
を含む、悪臭を減少させる方法。
【発明の詳細な説明】
【技術分野】
【０００１】
本発明は、悪臭結合ポリマー、悪臭制御構成成分、及び水性キャリアを含むフレッシュニング組成物、及びその方法に関する。
【背景技術】
【０００２】
布地上及び空気中の悪臭を減少又はマスキングするフレッシュニング製品は、現在入手可能であるとともに、特許文献で説明されている。Ｔｈｅ  Ｐｒｏｃｔｅｒ  ＆  Ｇａｍｂｌｅ  Ｃｏｍｐａｎｙは、ＦＥＢＲＥＺＥ（登録商標）のブランド名で布地及び空気フレッシュニング製品を販売している。これらの製品は典型的には、香料、可溶化剤、シクロデキストリン、及び水性キャリアを含有する。Ｓ．Ｃ．Ｊｏｈｎｓｏｎは、Ｇｌａｄｅ（登録商標）Ｆａｂｒｉｃ  ａｎｄ  Ａｉｒ  Ｏｄｏｒ  Ｅｌｉｍｉｎａｔｏｒ、及びＯｕｓｔ（登録商標）Ｓｕｒｆａｃｅ  Ｄｉｓｉｎｆｅｃｔａｎｔ  ａｎｄ  Ａｉｒ  Ｓａｎｉｔｉｚｅｒのような製品を販売している。Ｒｅｃｋｉｔｔ−Ｂｅｎｃｋｉｓｅｒは、Ｌｙｓｏｌ（登録商標）Ｄｉｓｉｎｆｅｃｔａｎｔ  Ｓｐｒａｙのような製品を販売している。
【０００３】
特定のフレッシュニング組成物は、布地上及び空気中の広範な悪臭を効果的には中和しない。更に、組成物が悪臭に顕著な効果を示すのに必要な時間は、悪臭に対する製品の有効性について消費者を懐疑的にさせ得る。例えば、消費者は、製品が悪臭を顕著に減少させ始める前に、処理空間を去り得る。
【発明の概要】
【発明が解決しようとする課題】
【０００４】
微生物によって引き起こされるアミン系及びイオウ系の悪臭等の広範囲の悪臭を、大量の香料で悪臭を抑えこむのではなく中和する、改善されたフレッシュニング組成物への需要は残されている。
【課題を解決するための手段】
【０００５】
本発明は、悪臭を減少させるためのフレッシュニング組成物に関する。一実施形態によると、悪臭結合ポリマーと、悪臭を中和するための２つ以上の揮発性アルデヒドの混合物を有効量含む悪臭制御構成成分であって、上記２つ以上の揮発性アルデヒドは、２−エトキシベンジルアルデヒド、２−イソプロピル−５−メチル−２−へキセナール、５−メチルフルフラール、５−メチル−チオフェン−カルボキシアルデヒド、アドキサル、ｐ−アニスアルデヒド、ベンジルアルデヒド、ブルゲオナール、ケイ皮アルデヒド、サイマール、デシルアルデヒド、フローラルスーパー、フロルヒドラル、ヘリオナル、ラウリンアルデヒド、リグストラール、リラール、メロナール、ｏ−アニスアルデヒド、ピノアセトアルデヒド、Ｐ．Ｔ．ブシナール、チオフェンカルボキシアルデヒド、トランス−４−デセナール、トランストランス−２，４−ノナジエナール、ウンデシルアルデヒド、及びこれらの混合物からなる群から選択される、悪臭制御構成成分と、水性キャリアと、を含む、悪臭を減少させるためのフレッシュニング組成物が提供される。
【０００６】
別の実施形態では、有効量の悪臭結合ポリマーと、悪臭制御構成成分と、を含む悪臭を減少させるためのフレッシュニング組成物が提供され、悪臭制御構成成分は、少なくとも１つの揮発性アルデヒドと、２５℃で約０．０１〜約１３の蒸気圧を有する酸触媒と、を含む。
【０００７】
本発明はまた、有効量の悪臭結合ポリマーと悪臭制御構成成分とを含むフレッシュニング組成物を提供する工程と、有効量の上記フレッシュニング組成物を無生物表面又は空中に散布する工程を含む、悪臭を減少させる方法に関する。
【図面の簡単な説明】
【０００８】
【図１】悪臭結合ポリマーを含まないフレッシュニング組成物と比べて、悪臭結合ポリマーを含有する本発明によるフレッシュニング組成物で処理した布地から蒸発するアルデヒドの悪臭が減少することを示している棒グラフ。
【図２】悪臭結合ポリマーを含まないフレッシュニング組成物と比べて、悪臭結合ポリマーを含有する本発明によるフレッシュニング組成物によって微生物が減少することを示している棒グラフ。
【図３】イオウ系悪臭に対する本発明による悪臭制御構成成分の一実施形態の性能を示すグラフ。
【図４】アミン系悪臭に対する本発明による悪臭制御構成成分の一実施形態の性能を示すグラフ。
【図５】様々な酸触媒と組み合わせたチオフェンカルボキシアルデヒドによるブタンチオールの減少を示すグラフ。
【発明を実施するための形態】
【０００９】
本発明のフレッシュニング組成物は、純粋に悪臭を減少させるように設計されており、単に香料を使用して悪臭を覆い隠したり、又は遮断したりすることによって機能するものではない。本発明のフレッシュニング組成物は、空気中又は無生物表面上、例えば、食べ物及びタバコの臭気のような環境臭で汚染された又は汗で濡れた布地上の悪臭を減少させる。本発明のフレッシュニング組成物は、無生物表面上又は空気中の微生物も減少させ得る。本発明のフレッシュニング組成物は、悪臭が無生物表面に付着又は浸透するのを防ぐバリアとしての機能も果たし得る。
【００１０】
純粋に、悪臭の減少は、感覚及び分析（例えば、ガスクロマトグラフ）によって測定可能な悪臭の減少をもたらす。したがって、フレッシュニング組成物が純粋に悪臭を減少させる場合、そのフレッシュニング組成物は、空気中及び／又は布地上の悪臭を中和することになる。「中和する」又は「中和」とは、本明細書で使用するとき、悪臭構成成分と化学反応すること（例えば、第一級アミンがアルデヒドと反応してイミンを形成すること、アミンの還元的アルキル化、アミンのプロトン化及び脱プロトン化、重合、若しくは脱重合）、又は、悪臭構成成分の揮発性を抑えて、組成物の他の部分が反応できるようにすること（例えば、酸塩基中和）、又は、悪臭分子を物理的に捕捉して、その分子が空気中に再放出されないようにすること（例えば、本明細書に記載されているようなシクロデキストリン包接錯体）を意味する。臭気の中和は、悪臭化合物の状態に対応する変化が全くない悪臭を認識する能力における変化とは対照的に、悪臭化合物における変化によるものであり、臭気マスキング又は臭気ブロックから区別され得る。
【００１１】
Ｉ．フレッシュニング組成物
悪臭を減少させる本発明のフレッシュニング組成物は、悪臭結合ポリマーと、少なくとも１つの脂肪族アルデヒドを含む悪臭中和剤と、水性キャリアと、を含み、上記組成物は、布地に汚れ又は染みを付ける物質を本質的に含まない。本発明のフレッシュニング組成物中の界面活性剤（例えば、可溶化剤、湿潤剤）の総量は、フレッシュニング組成物の０重量％〜３重量％又は３重量％以下、あるいは０重量％〜１重量％又は１重量％以下、あるいは０重量％〜０．９重量％又は０．９重量％以下、あるいは０重量％〜０．７又は０．７重量％以下、あるいは０重量％〜０．５重量％又は０．５重量％以下、あるいは０重量％〜０．３重量％又は０．３重量％以下である。濃度の高い組成物ほど、布地が汚れの影響を受けやすくなり得、及び／又は、フレッシュニング組成物の溶液が蒸発すると、許容不能な目に見える染みが布地上に残り得る。
【００１２】
Ａ．悪臭結合ポリマー
本発明のフレッシュニング組成物は悪臭結合ポリマーを含む。悪臭結合ポリマーは、悪臭構成成分を中和する親和性を有する利用可能な官能基（例えば、少なくとも１つの第一級アミン）を有するポリマーである。悪臭構成成分を中和する親和性を有する利用可能な官能基を有するモノマーも考えられる。
【００１３】
悪臭結合ポリマーとしては、モノアミン、アミノ酸、ポリエチレンイミンポリマー（ＰＥＩ）、変性ＰＥＩ、置換ＰＥＩのようなアミン系化合物、ポリアクリレートコポリマー（例えば、Ｒｏｈｍ  ＆  Ｈａａｓ製のＡｃｕｍｅｒ（商標）９０００）、ポリアクリル酸ポリマー（例えば、Ｒｏｈｍ  ＆  Ｈａａｓ製のＡｃｕｓｏｌ（商標））、変性アクリレートコポリマー（例えば、Ｒｏｈｍ  ＆  Ｈａａｓ製のＡｃｕｌｙｎ（商標））のようなアクリル酸ポリマー、及び変性メタクリレートコポリマー（例えば、Ｓａｌｖｏｎａ  Ｔｅｃｈｎｏｌｏｇｉｅｓ製のＨｙｄｒｏｓａｌ（商標））、又はこれらの混合物が挙げられる。
【００１４】
１．アミン系化合物
いくつかの実施形態では、悪臭結合ポリマーは、分子量が１００ダルトン超のアミン系化合物であり、そのアミン基の少なくとも１０％は第一級アミンである。一実施形態では、アミン系化合物は、分子量が１５０ダルトン超のポリアミンであり、そのアミン基の１５％〜８０％は第一級アミンである。別の実施形態では、悪臭結合ポリマーは、分子量が１０００ダルトン超のアミン系化合物であり、そのアミン基の０％〜約１０％、あるいは１０％未満が第一級アミンである。
【００１５】
本発明で有用な第一級アミン化合物の一般構造は下記のとおりである。
Ｂ−（ＮＨ2）n；
式中、Ｂはキャリア物質であり、ｎは少なくとも１の値の指数である。好適なＢキャリアとしては、無機及び有機双方のキャリア部分が挙げられる。「無機キャリア」とは、炭素系ではないか、又は実質的に炭素系ではない骨格鎖からなるキャリアを意味する。
【００１６】
第二級アミン基を含有する化合物は、−ＮＨ2基に加えて１つ以上の−ＮＨ−基を含むこと以外は、上記と同様の構造を有する。この一般型のアミン化合物は、比較的粘稠な物質であり得る。
【００１７】
代表的なアミン系化合物は、モノアミン、アミノアリール誘導体、ポリアミン及びその誘導体、ポリアミノ酸及びそのコポリマー、グルカミン、デンドリマー、ＰＥＩ、置換アミン及びアミドモノアミン、又はこれらの混合物から選択したものである。
【００１８】
ａ．モノアミン
モノアミンは、本発明において使用され得る。本発明で使用するのに好適なモノアミンの非限定例としては、２−ヒドロキシアミン及び／又は３−ヒドロキシアミンのようにヒドロキシ及び／又はアルコキシ官能基も含有する第一級アミン、特にそのモノアミンを有益剤と相互作用させたときに、その官能基のないモノアミンと比べて、そのモノアミンの析出を高める官能基も含有する第一級又は第二級アミンが挙げられるが、これらに限定されない。第一級モノアミンは、第二級モノアミンと組み合わせて本明細書中で使用され得る。しかしながら、このような組み合わせ内のすべてのアミン基のうちの少なくとも１０％が第一級アミン基となるように、十分な濃度の第一級アミンを使用しなければならない。
【００１９】
ｂ．アミノアリール誘導体
代表的なアミノアリール誘導体はアミノ−ベンゼン誘導体であり、４−アミノベンゾエート化合物のアルキルエステル、エチル−４−アミノベンゾエート、フェニルエチル−４−アミノベンゾエート、フェニル−４−アミノベンゾエート、４−アミノ−Ｎ’−（３−アミノプロピル）−ベンズアミド、又はこれらの混合物が挙げられる。
【００２０】
ｃ．ポリアミン
本発明の目的において、少なくとも１つの第一級アミン基を含有する好適なアミノ官能ポリマーの例は、下記のとおりである。
−分子量が３００〜２．１０Ｅ６ダルトンのポリビニルアミン（例えば、ＢＡＳＦから入手可能なＬｕｐａｍｉｎｅシリーズ１５００、４５００、５０００、９０００）
−分子量が６００ダルトン以上であり、エトキシル化度が少なくとも０．５であるアルコキシル化ポリビニルアミン
−ポリビニルアミンビニルアルコール（モル比２：１）、ポリビニルアミンビニルホルムアミド（モル比１：２）、及びポリビニルアミンビニルホルムアミド（モル比２：１）
−トリエチレンテトラミン、ジエチレントリアミン、テトラエチレンペンタミン
−ビス−アミノプロピルピペラジン
−分子量が４００〜３００，０００ダルトンの範囲のアミノ置換ポリビニルアルコール
−例えば、Ｓｉｇｍａから入手可能なポリオキシエチレンビス［アミン］
−例えば、Ｓｉｇｍａから入手可能なポリオキシエチレンビス［６−アミノヘキシル］
−直鎖又は分岐鎖Ｎ，Ｎ’−ビス−（３−アミノプロピル）−１，３−プロパンジアミン（ＴＰＴＡ）
−Ｎ，Ｎ’−ビス−（３−アミノプロピル）エチレンジアミン
−直鎖又は分岐鎖ビス（アミノアルキル）アルキルジアミン
−１，４−ビス−（３−アミノプロピル）ピペラジン（ＢＮＰＰ）
【００２１】
ｄ．ポリアミノ酸
好適なアミン系化合物としてはポリアミノ酸が挙げられる。ポリアミノ酸は、アミノ酸又は化学修飾アミノ酸からなる。アミノ酸は、システイン、ヒスチジン、イソロイシン、チロシン、トリプトファン、ロイシン、リシン、グルタミン酸、グルタミン、グリシン、アラニン、アスパラギン酸、アルギニン、アスパラギン、フェニルアラニン、プロリン、セリン、ヒスチジン、スレオニン、メチオニン、バリン、及びこれらの混合物から選択され得る。アミノ酸誘導体は、チロシンエチラート、グリシンメチラート、トリプトファンエチラート、若しくはこれらの混合物、アミノ酸ホモポリマー、ヒドロキシアミン、ポリアミノ酸、又はこれらの混合物であり得る。
【００２２】
化学修飾アミノ酸では、そのアミノ酸のアミン又は酸性官能基が化学試薬と反応している。これは、後続反応においてアミノ酸の化学的アミン及び酸性官能基を保護する目的、又は、溶解度の向上のような特別な特性をアミノ酸に付与する目的で行うことが多い。このような化学修飾体の例は、ベンジルオキシカルボニル、アミノ酪酸、ブチルエステル、及びピログルタミン酸である。アミノ酸及びアミノ酸の小断片の一般的な修飾の更なる例は、Ｂａｃｈｅｍ、１９９６、Ｐｅｐｔｉｄｅｓ  ａｎｄ  Ｂｉｏｃｈｅｍｉｃａｌｓ  Ｃａｔａｌｏｇで見ることができる。
【００２３】
１つのポリアミノ酸は、ポリリシン、あるいは、そのアミノ酸の５０％超がリシンであるポリリシン又はポリアミノ酸である。リシンの側鎖における第一級アミン官能基は、すべてのアミノ酸の中で最も反応性の高いアミンであるからである。１つのポリアミノ酸の分子量は、５００〜１０，０００，０００、あるいは２０００〜２５，０００である。
【００２４】
ポリアミノ酸は架橋することができる。架橋は、例えば、リシンのようなアミノ酸の側鎖中のアミノ基をアミノ酸のカルボキシル官能基、又はＰＥＧ誘導体のようなタンパク質架橋剤と縮合させることによって行うことができる。この架橋ポリアミノ酸には、中和に備えて、遊離した第一級及び／又は第二級アミノ基がまだ残っている必要がある。架橋ポリアミノ酸の分子量は２０，０００〜１０，０００，０００、あるいは２００，０００〜２，０００，０００である。
【００２５】
ポリアミノ酸又はアミノ酸は、例えば、酸、アミド、塩化アシル、アミノカプロン酸、アジピン酸、エチルヘキサン酸、カプロラクタム、又はこれらの混合物のような他の試薬と共重合させることができる。これらのコポリマーで使用するモル比は、１：１（試薬／アミノ酸（リシン））〜１：２０、あるいは１：１〜１：１０の範囲である。ポリリシンのようなポリアミノ酸は、必要な量の第一級アミンがポリマー中に残っていれば、エトキシル化しないことも、部分的にエトキシル化することもできる。
【００２６】
ｅ．デンドリマー
更なる有用なアミン系化合物は、ポリプロピレンイミンデントリマー、市販されているＤｅｎｄｒｉｔｅｃｈ製のＳｔａｒｂｕｒｓｔ（登録商標）というポリアミドアミン（ＰＡＭＡＭ）デンドリマー（生成Ｇ０〜Ｇ１０）、ジアミノブタンポリアミンＤＡＢ（ＰＡ）ｘデンドリマー（ｘ＝２n×４であり、ｎは一般に０〜４である）であるＤＳＭ製のＡｓｔｒｏｍｏｌｓ（登録商標）というデンドリマー（生成１〜５）である。
【００２７】
ｆ．ＰＥＩ
一実施形態では、悪臭結合ポリマーはＰＥＩである。ｐＨが約４〜約８、あるいは５超〜約８、あるいは７のアミン系ポリマーがアミン系の臭気を中和できることが驚くべきことに発見された。ＰＥＩは下記の一般式を有する。
−（ＣＨ２−ＣＨ２−ＮＨ）ｎ−（ｎ＝１０〜１０５）
【００２８】
ホモポリマーＰＥＩは、特定の割合の第一級、第二級、及び第三級アミン官能基を有する分岐球状ポリアミンである。ホモポリマーＰＥＩは、下記の部分的構造式で最も分かりやすく説明される。
【００２９】
【化１】
2013514151.tif 000003
【００３０】
ホモポリマーＰＥＩの化学構造は、１つのアミン官能基−２つの炭素という簡潔な原則に従っている。
【００３１】
本発明のフレッシュニング組成物は、分子量が約８００〜約２，０００，０００、あるいは約１，０００〜約２，０００，０００、あるいは約１，２００〜約２５，０００、あるいは約１，３００〜約２５，０００、あるいは約２，０００〜約２５，０００、あるいは約１０，０００〜約２，０００，０００、あるいは約２５，０００〜約２，０００，０００、あるいは約２５，０００のホモポリマーポリエチレンイミンを含み得る。代表的なホモポリマーＰＥＩとしては、ＢＡＳＦからＬｕｐａｓｏｌ（登録商標）という商品名で市販されているものが挙げられる。Ｌｕｐａｓｏｌの製品は一般に、エチレンイミンモノマーを重合することによって得られる。このエチレンイミンモノマーは、ポリマーマトリックスですべて反応している。好適なＬｕｐａｓｏｌ製品としては、Ｌｕｐａｓｏｌ  ＦＧ（分子量８００）、Ｇ２０ｗｆｖ（分子量１３００）、ＰＲ８５１５（分子量２０００）、ＷＦ（分子量２５，０００）、ＦＣ（分子量８００）、Ｇ２０（分子量１３００）、Ｇ３５（分子量１２００）、Ｇ１００（分子量２０００）、ＨＦ（分子量２５，０００）、Ｐ（分子量７５０，０００）、ＰＳ（分子量７５０，０００）、ＳＫ（分子量２，０００，０００）、ＳＮＡ（分子量１，０００，０００）が挙げられる。
【００３２】
いくつかの実施形態では、本発明のフレッシュニング組成物は、Ｌｕｐａｓｏｌ  ＨＦ若しくはＷＦ（分子量２５，０００）、Ｐ（分子量７５０，０００）、ＰＳ（分子量７５０，０００）、ＳＫ（分子量２，０００，０００）、６２０ｗｆｖ（分子量１３００）、又はＰＲ１８１５（分子量２０００）、あるいはＥｐｏｍｉｎ  ＳＰ−１０３、Ｅｐｏｍｉｎ  ＳＰ−１１０、Ｅｐｏｍｉｎ  ＳＰ−００３、Ｅｐｏｍｉｎ  ＳＰ−００６、Ｅｐｏｍｉｎ  ＳＰ−０１２、Ｅｐｏｍｉｎ  ＳＰ−０１８、Ｅｐｏｍｉｎ  ＳＰ−２００、あるいは、Ａｌｄｒｉｃｈ製の８０％エトキシル化されたポリエチレンイミンのように、部分的にアルコキシル化されたポリエチレンイミンを含む。一実施形態では、本発明のフレッシュニング組成物はＬｕｐａｓｏｌ  ＷＦ（分子量２５，０００）を含有する。
【００３３】
また、本発明のフレッシュニング組成物で使用するのに好適なアミン系化合物は、変性ＰＥＩ、部分的にアルキル化されたポリエチレンポリマー、ヒドロキシル基を有するＰＥＩ、１，５−ペンタンジアミン、１，６−ヘキサンジアミン、１，３ペンタンジアミン、３−ジメチルプロパンジアミン、１，２−シクロヘキサンジアミン、１，３−ビス（アミノメチル）シクロヘキサン、トリプロピレンテトラアミン、ビス（３−アミノプロピル）ピペラジン、ジプロピレントリアミン、トリス（２−アミノエチルアミン）、テトラエチレンペンタミン、ビスヘキサメチレントリアミン、ビス（３−アミノプロピル）１，６−ヘキサメチレンジアミン、３，３’−ジアミノ−Ｎ−メチルジプロピルアミン、２−メチル−１，５−ペンタンジアミン、Ｎ，Ｎ，Ｎ’，Ｎ’−テトラ（２−アミノエチル）エチレンジアミン、Ｎ，Ｎ，Ｎ’，Ｎ’−テトラ（３−アミノプロピル）−１，４−ブタンジアミン、ペンタエチルヘキサミン、１，３−ジアミノ−２−プロピル−ｔｅｒｔ−ブチルエーテル、イソホロンジアミン、４，４’，−ジアミノジシクロヒルメタン、Ｎ−メチル−Ｎ−（３−アミノプロピル）エタノールアミン、スペルミン、スペルミジン、１−ピペラジンエタンアミン、２−（ビス（２−アミノエチル）アミノ）エタノール、エトキシル化Ｎ−（タローアルキル）トリメチレンジアミン、ポリ［オキシ（メチル−１，２−エタンジイル）］、α−（２−アミノメチル−エトキシ）−（＝Ｃ．Ａ．Ｓ．番号９０４６−１０−０）、ポリ［オキシ（メチル−１，２−エタンジイル）］、α−ヒドロ−）−ω−（２−アミノメチルエトキシ）−、２−エチル−２−（ヒドロキシメチル）−１，３−プロパンジオールを有するエーテル（＝Ｃ．Ａ．Ｓ．番号３９４２３−５１−３）；Ｊｅｆｆａｍｉｎｅｓの商標名で市販されているＴ−４０３、Ｄ−２３０、Ｄ−４００、Ｄ−２０００；２，２’２”−トリアミノトリエチルアミン；２，２’−ジアミノ−ジエチルアミン；Ｍｉｔｓｕｂｕｓｈｉから市販されている３，３’−ジアミノ−ジプロピルアミン、１，３ビスアミノエチル−シクロヘキサン、及びＣｌａｒｉａｎｔから市販されているＣ１２ステルナミン（プロピレンアミン）n（ｎ＝３／４）のようなＣ１２ステルナミンである。
【００３４】
一実施形態では、悪臭結合ポリマーは、布地上及び／又は空気中の微生物を減少させるのに有効な量で使用され得る。悪臭結合ポリマーを使用するとき、有効量は、悪臭結合ポリマーを含まない組成物よりも、微生物を対数差で少なくとも１減少させる。この差が悪臭結合ポリマーを使用する根拠であり、微生物種の固有の変動性ではない。
【００３５】
悪臭結合ポリマーの好適な濃度は、フレッシュニング組成物の約０．０１重量％〜約２重量％、あるいは約０．０１重量％〜約１重量％、あるいは約０．０１重量％〜約０．８重量％、あるいは約０．０１重量％〜約０．６重量％、あるいは約０．０１重量％〜約０．１重量％、あるいは約０．０１重量％〜約０．０７重量％、あるいは約０．０７重量％である。悪臭結合ポリマーの量が多い組成物ほど、布地が汚れの影響を受けやすくなる場合があり、及び／又は、フレッシュニング組成物の溶液が布地から蒸発すると、許容不能な目に見える染みが布地上に残る場合がある。
【００３６】
Ｂ．悪臭制御構成成分
フレッシュニング組成物は、悪臭制御構成成分を含み得る。悪臭制御構成成分は、臭気を単に覆い隠すかマスキングする機能ではなく、純粋に悪臭を中和するように設計されている。純粋な悪臭中和は、感覚及び分析により測定可能（例えば、ガスクロマトグラフ）な悪臭の減少を供給する。したがって、悪臭制御構成成分が純粋な悪臭中和を供給する場合には、この組成物は、気相及び／又は液相中の悪臭を減少する。悪臭結合ポリマーと組み合わせて使用される場合、組成物は、より広範な悪臭を中和でき、ひいては、空中又は無生物表面上の悪臭を更に減少させる物質を発生させる。
【００３７】
１．香料物質
悪臭制御構成成分は、揮発性アルデヒドの混合物を含み得る香料物質を含む。揮発性アルデヒドは、化学反応を介して、蒸気及び／又は液相中の悪臭を中和する。部分的に揮発性であるアルデヒドは、本明細書で使用される揮発性アルデヒドと考えられ得る。揮発性アルデヒドは、シッフ塩基形成経路に従ってアミン系臭気と反応し得る。揮発性アルデヒドは、イオウ系臭気とも反応し、気相及び／又は液相中にチオールアセタール、へミチオールアセタール及びチオールエステルを形成し得る。実質上、製品の所望の香料特性に負の影響を全く有さないことが、これらの気相及び／又は液相揮発性アルデヒドにとって望ましいものであり得る。
【００３８】
好適な揮発性アルデヒドは、２５℃で測定したときに、約０．０００１トール〜１００トール（０．０１３Ｐａ〜１３．３ｋＰａ）、あるいは約０．０００１トール〜約１０トール（０．０１３Ｐａ〜１．３３ｋＰａ）、あるいは約０．００１トール〜約５０トール（０．１３３Ｐａ〜６．６７ｋＰａ）、あるいは約０．００１トール〜約２０トール（０．１３３Ｐａ〜２．６７Ｐａ）、あるいは約０．００１トール〜約０．１００トール（０．１３３Ｐａ〜１３．３Ｐａ）、あるいは約０．００１トール〜０．０６トール（０．１３３Ｐａ〜８．００Ｐａ）、あるいは約０．００１トール〜０．０３トール（０．１３３Ｐａ〜４．００Ｐａ）、あるいは約０．００５トール〜約２０トール（０．６６７Ｐａ〜２．６７ｋＰａ）、あるいは約０．０１トール〜約２０トール（１．３３Ｐａ〜２．６７ｋＰａ）、あるいは約０．０１トール〜約１５トール（１．３３Ｐａ〜２．００ｋＰａ）、あるいは約０．０１トール〜約１０トール（１．３３Ｐａ〜１．３３ｋＰａ）、あるいは約０．０５トール〜約１０トール（６．６７Ｐａ〜１．３３ｋＰａ）の範囲の蒸気圧（ＶＰ）を有し得る。
【００３９】
揮発性アルデヒドはまた、特定の沸点（Ｂ．Ｐ．）及びオクタノール／水分配係数（Ｐ）を有し得る。本明細書において言及される沸点は、７６０ｍｍＨｇ（１０１．３ｋＰａ）である通常の標準気圧の下で測定される。標準の７６０ｍｍ  Ｈｇ（１０１．３ｋＰａ）における多くの揮発性アルデヒドの沸点は、例えば、Ｓｔｅｆｆｅｎ  Ａｒｃｔａｎｄｅｒ著、１９６９年発行の「Ｐｅｒｆｕｍｅ  ａｎｄ  Ｆｌａｖｏｒ  Ｃｈｅｍｉｃａｌｓ（Ａｒｏｍａ  Ｃｈｅｍｉｃａｌｓ）」に与えられている。
【００４０】
揮発性アルデヒドのオクタノール／水分配係数は、オクタノール中と水中におけるその平衡濃度の比である。悪臭制御構成成分で使用される揮発性アルデヒドの分配係数は、底１０に対するそれらの対数ｌｏｇＰの形態でより簡便に示され得る。多くの揮発性アルデヒドのｌｏｇＰ値は、報告されている。例えば、Ｄａｙｌｉｇｈｔ  Ｃｈｅｍｉｃａｌ  Ｉｎｆｏｒｍａｔｉｏｎ  Ｓｙｓｔｅｍｓ，Ｉｎｃ．（Ｄａｙｌｉｇｈｔ  ＣＩＳ）（Ｉｒｖｉｎｅ，Ｃａｌｉｆｏｒｎｉａ）から入手可能なＰｏｍｏｎａ９２データベースを参照されたい。しかしながら、ｌｏｇＰ値は、やはりＤａｙｌｉｇｈｔ  ＣＩＳから入手可能な「ＣＬＯＧＰ」プログラムによって最も便宜よく計算される。このプログラムはまた、それらがＰｏｍｏｎａ９２データベースにおいて入手可能な場合には、実験的なｌｏｇＰの値も一覧にしている。「ＬｏｇＰ計算値」（ＣｌｏｇＰ）は、ＨａｎｓｃｈとＬｅｏのフラグメント法により決定される（参考Ａ．Ｌｅｏ、Ｃｏｍｐｒｅｈｅｎｓｉｖｅ  Ｍｅｄｉｃｉｎａｌ  Ｃｈｅｍｉｓｔｒｙ，Ｖｏｌ．４、Ｃ．Ｈａｎｓｃｈ、Ｐ．Ｇ．Ｓａｍｍｅｎｓ、Ｊ．Ｂ．Ｔａｙｌｏｒ及びＣ．Ａ．Ｒａｍｓｄｅｎ，Ｅｄｓ．，ｐ．２９５，Ｐｅｒｇａｍｏｎ  Ｐｒｅｓｓ，１９９０）。フラグメント法は、各揮発性アルデヒドの化学構造に基づいたものであり、原子の数と種類、原子の結合性及び化学結合を考慮したものである。ＣｌｏｇＰ値は、最も信頼でき、またこの物理化学的特性の評価に広く使用されており、好ましくは悪臭制御構成成分のための揮発性アルデヒドの選択において実験的なｌｏｇＰ値の代わりに使用される。
【００４１】
ＣｌｏｇＰ値は、４つの群により定義することができ、揮発性アルデヒドはこれらの群のうちの１つ以上から選択され得る。第一群は、約２５０℃以下のＢ．Ｐ．と約３以下のＣｌｏｇＰとを有する揮発性アルデヒドを含む。第二群は、２５０℃以下のＢ．Ｐ．と３．０以上のＣｌｏｇＰとを有する揮発性アルデヒドを含む。第三群は、２５０℃以上のＢ．Ｐ．と３．０以下のＣｌｏｇＰとを有する揮発性アルデヒドを含む。第四群は、２５０℃以上のＢ．Ｐ．と３．０以上のＣｌｏｇＰとを有する揮発性アルデヒドを含む。悪臭制御構成成分は、１つ以上のＣｌｏｇＰ群からの揮発性アルデヒドのいずれかの組み合わせを含み得る。
【００４２】
いくつかの実施形態では、本発明の悪臭制御構成成分は、悪臭制御構成成分全体の約０重量％〜約３０重量％若しくは約２５重量％の第一群からの揮発性アルデヒド、及び／又は約０重量％〜約１０重量％若しくは約１０重量％の第二群からの揮発性アルデヒド、及び／又は約１０重量％〜約３０重量％若しくは約３０重量％の第三群からの揮発性アルデヒド、及び／又は約３５重量％〜約６０重量％若しくは約３５重量％の第四群からの揮発性アルデヒドを含み得る。
【００４３】
悪臭制御構成成分に使用され得る代表的な揮発性アルデヒドとしては、アドキサル（２，６，１０−トリメチル−９−ウンデセナール）、ブルゲオナール（４−ｔ−ブチルベンゼンプロピオンアルデヒド）、リレストラリス３３（２−メチル−４−ｔ−ブチルフェニル）プロパナール）、ケイ皮アルデヒド、シンナムアルデヒド（フェニルプロペナール、３−フェニル−２−プロペナール）、シトラール、ゲラニアール、ネラール（ジメチルオクタジエナール、３，７−ジメチル−２，６−オクタジエン−１−アール）、シクラールＣ（２，４−ジメチル−３−シクロヘキセン−１−カルバルデヒド）、フロルヒドラル（３−（３−イソプロピル−フェニル）−ブチルアルデヒド）、シトロネラール（３，７−ジメチル６−オクテナール）、サイマール、シクラメンアルデヒド、シクロサル、ライムアルデヒド（α−メチル−ｐ−イソプロピルフェニルプロピルアルデヒド）、メチルノニルアセトアルデヒド、アルデヒドＣ１２  ＭＮＡ（２−メチル−１−ウンデカナール）、ヒドロキシシトロネラール、シトロネラール水和物（７−ヒドロキシ−３，７−ジメチルオクタン−１−アール）、ヘリオナル（α−メチル−３，４−（メチレンジオキシ）−ヒドロシンナムアルデヒド、ヒドロシンナムアルデヒド（３−フェニルプロパナール、３−フェニルプロピオンアルデヒド）、イントレレベンアルデヒド（Intreleven Aldehyde）（ウンデカ−１０−エン−１−アール）、リグストラール、トリバータル（２，４−ジメチル−３−シクロヘキセン−１−カルボキシアルデヒド）、ジャスモレンジ、サチンアルデヒド（２−メチル−３−トリルプロピオンアルデヒド、４−ジメチルベンゼンプロパナール）、リラール（４−（４−ヒドロキシ−４−メチルペンチル）−３−シクロヘキセン−１−カルボキシアルデヒド）、メロナール（２，６−ジメチル−５−ヘプテナール）、メトキシメロナール（６−メトキシ−２，６−ジメチルヘプタナール）、メトキシシンナムアルデヒド（トランス−４−メトキシシンナムアルデヒド）、ミラックアルデヒドイソヘキセニルシクロヘキセニル−カルボキシアルデヒド、トリファーナル（trifernal）（（３−メチル−４−フェニルプロパナール、３−フェニルブタナール）、リリアール、Ｐ．Ｔ．ブシナール、リスメラール、ベンゼンプロパナール（４−ｔｅｒｔ−ブチル−α−メチル−ヒドロシンナムアルデヒド）、デュピカル（Dupical）、トリシクロデシリデンブタナール（４−トリシクロ５２１０−２，６デシリデン−８−ブタナール）、メルフレール（Melafleur）（１，２，３，４，５，６，７，８−オクタヒドロ−８，８−ジメチル−２−ナフトアルデヒド）、メチルオクチルアセトアルデヒド、アルデヒドＣ−１１ＭＯＡ（２−メチルデカ−１−アール）、オニシダル（Onicidal）（２，６，１０−トリメチル−５，９−ウンデカジエン−１−アール）、シトロネリルオキシアセトアルデヒド、ミュゲ（Muguet）アルデヒド５０（３，７−ジメチル−６−オクテニル）オキシアセトアルデヒド）、フェニルアセトアルデヒド、メフラナール（Mefranal）（３−メチル−５−フェニルペンタナール）、トリプラル（Triplal）、ベルトシトラール（Vertocitral）ジメチルテトラヒドロベンゼンアルデヒド（２，４−���メチル−３−シクロヘキセン−１−カルボキシアルデヒド）、２−フェニルプロプリオンアルデヒド、ヒドロトロープアルデヒド、カントキサール（Canthoxal）、アニシルプロパナール４−メトキシ−α−メチルベンゼンプロパナール（２−アニシリデンプロパナール）、シクレモン（Cylcemone）Ａ（１，２，３，４，５，６，７，８−オクタヒドロ−８，８−ジメチル−２−ナフトアルデヒド）及びプレシクレモン（Precylcemone）Ｂ（１−シクロヘキセン−１−カルボキシアルデヒド）が挙げられるが、これらに限定されない。
【００４４】
更に他の代表的なアルデヒドとしては、アセトアルデヒド（エタナール）、ペンタナール、吉草酸アルデヒド、アミルアルデヒド、センテナール（Scentenal）（オクタヒドロ−５−メトキシ−４，７−メタノ−１Ｈ−インデン−２−カルボキシアルデヒド）、プロピオンアルデヒド（プロパナール）、シクロシトラール、β−シクロシトラール、（２，６，６−トリメチル−１−シクロヘキセン−１−アセトアルデヒド）、イソシクロシトラール（２，４，６−トリメチル−３−シクロヘキセン−１−カルボキシアルデヒド）、イソブチルアルデヒド、ブチルアルデヒド、イソ吉草酸アルデヒド（３−メチルブチルアルデヒド）、メチルブチルアルデヒド（２−メチルブチルアルデヒド、２−メチルブタナール）、ジヒドロシトロネラール（３，７−ジメチルオクタン−１−アール）、２−エチルブチルアルデヒド、３−メチル−２−ブテナール、２−メチルペンタナール、２−メチル吉草酸アルデヒド、ヘキセナール（２−ヘキセナール、トランス−２−ヘキセナール）、ヘプタナール、オクタナール、ノナナール、デカナール、ラウリンアルデヒド、トリデカナール、２−ドデカナール、メチルチオブタナール、グルタルアルデヒド、ペンタンジアール、グルタルアルデヒド、ヘプテナール、シス又はトランス−ヘプテナール、ウンデセナール（２−、１０−）、２，４−オクタジエナール、ノネナール（２−、６−）、デセナール（２−、４−）、２，４−ヘキサジエナール、２，４−デカジエナール、２，６−ノナジエナール、オクテナール、２，６−ジメチル５−ヘプテナール、２−イソプロピル−５−メチル−２−ヘキセナール、トリファーナル（Trifernal）、βメチルベンゼンプロパナール、２，６，６−トリメチル−１−シクロヘキセン−１−アセトアルデヒド、フェニルブテナール（２−フェニル２−ブテナール）、２．メチル−３（ｐ−イソプロピルフェニル）−プロピオンアルデヒド、３−（ｐ−イソプロピルフェニル）−プロピオンアルデヒド、ｐ−トリルアセトアルデヒド（４−メチルフェニルアセトアルデヒド）、アニスアルデヒド（ｐ−メトキシベンゼンアルデヒド）、ベンズアルデヒド、ベルンアルデヒド（Vernaldehyde）（１−メチル−４−（４−メチルペンチル）−３−シクロヘキセンカルボアルデヒド）、ヘリオトロピン（ピペロナール）３，４−メチレンジオキシベンズアルデヒド、α−アミルケイ皮アルデヒド、２−ペンチル−３−フェニルプロペンアルデヒド、バニリン（４−メトキシ３−ヒドロキシベンズアルデヒド）、エチルバニリン（３−エトキシ４−ヒドロキシベンズアルデヒド）、ヘキシルケイ皮アルデヒド、ジャスモナール（Jasmonal）Ｈ（α−ｎ−ヘキシル−シンナムアルデヒド）、フローラルオゾン（パラ−エチル−α，α−ジメチルヒドロシンナムアルデヒド）、アカレア（Acalea）（ｐ−メチル−α−ペンチルシンナムアルデヒド）、メチルシンナムアルデヒド、α−メチルシンナムアルデヒド（２−メチル３−フェニルプロペナール）、α−ヘキシルシンナムアルデヒド（２−ヘキシル３−フェニルプロペナール）、サリチルアルデヒド（２−ヒドロキシベンズアルデヒド）、４−エチルベンズアルデヒド、クミンアルデヒド（４−イソプロピルベンズアルデヒド）、エトキシベン���アルデヒド、２，４−ジメチルベンズアルデヒド、ベラトルムアルデヒド（３，４−ジメトキシベンズアルデヒド）、シリンガアルデヒド（３，５−ジメトキシ４−ヒドロキシベンズアルデヒド）、カテックアルデヒド（Catechaldehyde）（３，４−ジヒドロキシベンズアルデヒド）、サフラナール（２，６，６−トリメチル−１，３−ジエンメタナール）、ミルテナール（ピナ−２−エン−１−カルバルデヒド）、ペリルアルデヒドＬ−４（１−メチルエテニル）−１−シクロヘキセン−１−カルボキシアルデヒド）、２，４−ジメチル−３−シクロヘキセンカルボキシアルデヒド、２−メチル−２−ペンテナール、２−メチルペンテナール、ピルボアルデヒド、ホルミルトリシクロデカン、マンダリンアルデヒド、シクレマクス（Cyclemax）、ピノアセトアルデヒド、コープスアイリス（Corps Iris）、マセアル（Maceal）及びコープス（Corps）４３２２が挙げられるが、これらに限定されない。
【００４５】
一実施形態では、悪臭制御構成成分は、２−エトキシベンジルアルデヒド、２−イソプロピル−５−メチル−２−ヘキセナール、５−メチルフルフラール、５−メチル−チオフェン−カルボキシアルデヒド、アドキサル、ｐ−アニスアルデヒド、ベンジルアルデヒド、ブルゲオナール、ケイ皮アルデヒド、サイマール、デシルアルデヒド、フローラルスーパー、フロルヒドラル、ヘリオナル、ラウリンアルデヒド、リグストラール、リラール、メロナール、ｏ−アニスアルデヒド、ピノアセトアルデヒド、Ｐ．Ｔ．ブシナール、チオフェンカルボキシアルデヒド、トランス−４−デセナール、トランストランス２，４−ノナジエナール、ウンデシルアルデヒド及びこれらの混合物からなる群から選択される２つ以上の揮発性アルデヒドの混合物を含む。
【００４６】
いくつかの実施形態では、悪臭制御構成成分は、即効揮発性アルデヒドを含む。「即効揮発性アルデヒド」は、（１）４０秒未満で２０％以上のアミン臭気を減少させる、又は、（２）３０分未満で２０％以上のチオール臭気を減少させる、揮発性アルデヒドを指す。
【００４７】
一実施形態では、悪臭制御構成成分は、表１に列挙され、本明細書中でアコードＡと呼ばれる揮発性アルデヒドの混合物を含む。
【００４８】
【表１】
2013514151.tif 000004
【００４９】
別の実施形態では、悪臭制御構成成分は、表２に列挙され、本明細書中でアコードＢと呼ばれる揮発性アルデヒドの混合物を含む。
【００５０】
【表２】
2013514151.tif 000005
【００５１】
別の実施形態では、悪臭制御構成成分は、約７１．２％の揮発性アルデヒドの混合物を含み、残部は他のエステル及びアルコール香料原材料である。この混合物は表３に列挙され、本明細書中ではアコードＣと呼ばれる。
【００５２】
【表３】
2013514151.tif 000006
【００５３】
アコードＡ、Ｂ又はＣは、例えば、悪臭制御構成成分の約１０重量％の量で、他の香料原材料と配合することができる。加えて、個々の揮発性アルデヒド又は複数の揮発性アルデヒドの様々な組み合わせを悪臭制御構成成分中に配合することができる。特定の実施形態では、揮発性アルデヒドは、悪臭制御構成成分の最大１００重量％、又は１重量％〜約１００重量％、あるいは約２重量％〜約１００重量％、あるいは約３重量％〜約１００重量％、あるいは約５０重量％〜約１００重量％、あるいは約７０重量％〜約１００重量％、あるいは約８０重量％〜約１００重量％、あるいは約１重量％〜約２０重量％、あるいは約１重量％〜約１０重量％、あるいは約２重量％〜約２０重量％、あるいは約３重量％〜約２０重量％、あるいは約４重量％〜約２０重量％、あるいは約５重量％〜約２０重量％の量で存在し得る。
【００５４】
揮発性が悪臭を中和するのに重要ではないいくつかの実施形態では、本発明は、例えば、ジ−、トリ−、テトラ−アルデヒドといったポリ−アルデヒドを含み得る。このような実施形態としては、リーブオン、洗浄中、リンスオフ型の用途のための洗濯洗剤、添加剤、及びこれらに類するものが挙げられる。
【００５５】
一実施形態では、本発明のフレッシュニング組成物は、布地に優しく、黄ばむことのない脂肪族アルデヒドを１つ以上有する香料混合物を含む。複数の二重結合及びベンゼン環を含有するタイプのアルデヒドを用いる製品とは異なり、直鎖の脂肪族骨格鎖を主に含む特定のタイプのアルデヒドは、布地を変色させない。下記の表には、布地の黄ばみを防ぐアルデヒドの選択肢が示されている。
【００５６】
【表４】
2013514151.tif 000007
【００５７】
好適な脂肪族アルデヒドの例は、Ｒ−ＣＯＨ（式中、Ｒは、２つ以下の二重結合を有する飽和したＣ7〜Ｃ22の直鎖及び／又は分岐鎖である）である。好適な脂肪族アルデヒドの例は、ブルゲオナール、シトラール、シトロネリルオキシアセトアルデヒド、サイマール、デシルアルデヒド、ヘリオナル、ヘキシルシンナミックアルデヒド、ラウリンアルデヒド、リグストラール、リラール、メロナール、メチルジヒドロジャスモネート、メチルノニルアセトアルデヒド、メチルフェニルカルビニルアセテート、ノニルアルデヒド、オクチルアルデヒド、オキサン、Ｐ．Ｔ．ブシナール、ポリサントール、ルバフラン、トリパル、又はこれらの混合物である。
【００５８】
一実施形態では、組成物は、ブルゲオナール、シトラール、シトロネリルオキシアセトアルデヒド、サイマール、デシルアルデヒド、ヘリオナル、ヘキシルシンナミックアルデヒド、ラウリンアルデヒド、リグストラール、リラール、メロナール、メチルジヒドロジャスモネート、メチルノニルアセトアルデヒド、メチルフェニルカルビニルアセテート、ノニルアルデヒド、２，６−ノナジエン−１−アル、オクチルアルデヒド、オキサン、Ｐ．Ｔ．ブシナール、ポリサントール、ルバフラン、トリパル、及びこれらの混合物からなる群から選択された少なくとも１つの脂肪族アルデヒドを含む。
【００５９】
別の実施形態では、組成物は、ブルゲオナール、サイマール、ヘキシルシンナミックアルデヒド、メチルジヒドロジャスモネート、メチルノニルアセトアルデヒド、Ｐ．Ｔ．ブシナール、及びこれらの混合物からなる群から選択された少なくとも１つの脂肪族アルデヒドを含む。
【００６０】
脂肪族アルデヒドは、組成物の約０．００１重量％〜約１０重量％、あるいは約０．００１重量％〜約５重量％、あるいは約０．０１重量％〜約１重量％、あるいは約０．０２重量％〜約１重量％、あるいは約０．０２重量％〜約０．５重量％、あるいは約０．０２重量％〜約０．０６重量％、あるいは約０．０６重量％の量で存在し得る。
【００６１】
脂肪族アルデヒドに加えて、組成物は、香りを体験するために、エノン、ケトン、イオノン（α−イオノン、β−イオノン、γ−メチルイオノンを含む）、又はこれらの混合物を含む香料物質も含み得る。好適な香料物質は米国特許第５，７１４，１３７号で論じられている。組成物は、初めてスプレーしたときに清新な香りをもたらし、香りを多少残存させ、布地が再び濡れた際に多少追加の香りを放出させるのに有効な量の香料を含有し得る。脂肪族アルデヒドが実質上、所望の香料特性に悪影響を及ぼさないことが望ましい場合がある。
【００６２】
特定の悪臭中和剤は発香性で、香りの全体的特性に悪影響を及ぼす場合がある。この場合には、悪臭中和剤のいずれの臭気も中和されるように、使用される香料の原材料を選択するように、香料／悪臭中和剤プレミックスを形成させる。続いて、臭気を中和するこのプレミックスは、親芳香剤の特性に影響を及ぼすことなく、親香料混合物に加えることができる。これによって、悪臭中和剤を多種多様なタイプの芳香剤とともに広く使用することができるようになる。
【００６３】
以下は、布地に優しい悪臭中和剤を含む香料調合物の非限定例である。
【００６４】
【表５】
2013514151.tif 000008
【００６５】
【表６】
2013514151.tif 000009
【００６６】
【表７】
2013514151.tif 000010
【００６７】
【表８】
2013514151.tif 000011
【００６８】
【表９】
2013514151.tif 000012
【００６９】
特定の場合において、洗濯した布地は、布地を洗う洗剤から付着した光沢剤残留物を有することになる。したがって、フレッシュニング組成物と接触することになるいずれの布地も、フレッシュニング組成物によって変色しないように、上記の脂肪族アルデヒドは光沢剤との親和性を有しているのが望ましい場合がある。上記の多くの例は、光沢剤との親和性を有している。
【００７０】
２．香料送達システム
悪臭制御構成成分は、香料送達システムを含み得る。このような香料添加製品を選択、及び使用する消費者は、製品使用プロファイルにおける複数の接触点において、製品にどの程度満足しているかに関して決定的な判断を下す。多くの接触点が知られているが、出願人等はこうした接触点が一般的な消費者によって体験される製品に関する３つのモーメント・オブ・トゥルースに有利に分類、及び表現されることを見出した。
【００７１】
ＦＭＯＴは通常、購入時点であり、ＳＭＯＴは通常、製品の適用、及び使用で始まり、ＴＭＯＴは通常、製品の適用、及び使用の直後に始まる。出願人等は、製品の包装が知覚体験を阻害することによって消費者のＦＭＯＴが悪影響を受けることを認識するに到った。例えば、製品の包装によって製品の開封が困難となったり、開封した際にこぼれやすい製品が露出したりする場合がある。更に、配合成分が未希釈の製品の匂いを抑制、及び／又は変質させる可能性がある。更に出願人は、製品の保存時に揮発性の香料原材料が失われ、使用中のブルームが減少することで消費者のＳＭＯＴに悪影響を及ぼすことを認識するに到った。ＴＭＯＴのために高濃度の香料を添加することで上記の難点を克服した場合、使用時の香りの体験を変質させ、香料のブルームが刺激性となったり強くなりすぎ、及び／又は香料の性質が好ましいものでなくなる可能性がある。更に出願人等は、処理された部位から香料が放出されるにしたがって、特に乾燥衣類において長期間では第１、及び第２の真実の瞬間モーメント・オブ・トゥルースにおける香り体験を変質させるような製品中の香料濃度が必要となることを認識するに到った。更に、ＳＭＯＴ、及びＴＭＯＴのために高濃度の香料を添加することによって未希釈の製品の匂いを変質させ、なお、及び洗浄時に充分な香料の蓄積が実現されない場合がある。更に、乾燥時に起こる香料の蒸発によって衣類の香料濃度が低下し、及び／又は、乾燥衣類に残留する香料によって初期には乾燥衣類の匂いの効果をもたらすもののこうした香料は速やかに放散し充分な香り持続性の効果が得られない場合がある。更に、衣類に残る香料の衣類からの放出が遅すぎる場合がある。上述したように、毛髪や皮膚等の他の部位への香料の送達及び香料の放出についても同様なことがあてはまり得る。香料の放出に気付く可能性は、毛髪の長さ、皮膚の上に纏った衣類、部位の洗浄頻度等の異なる要因によって影響される。更に、香料強度、及び／又は特性は、香料含有製品で処理を行った乾燥した部位と比較して濡れた部位では異なって知覚され得る。理論に束縛されるものではないが、乾燥時の蒸発による香料の損失に加えて、香料は特定の接触点において綿繊維、毛髪、皮膚等の部位に吸収されたり分割されたりすることによって充分に利用されなくなる場合がある。部位の含水量によっても香料の放出プロファイル又は放出速度が変動し得る。
【００７２】
最後に、出願人等は、１又は２つのモーメント・オブ・トゥルースに関連する上記の問題点の解決策は、残りのモーメント・オブ・トゥルースに関連する問題点を解決するには不充分であるか、他のモーメント・オブ・トゥルースに悪影響を及ぼす可能性があることを認識するに到った。
【００７３】
香料送達システムとしても知られる以下に述べる香料送達技術（ＰＤＴ）は、あらゆる種類の消費者製品において任意の組み合わせで使用され得る。
【００７４】
ａ．ポリマー支援型送達（ＰＡＤ）
このＰＤＴは、香料物質を送達するポリマー物質を使用する。古典的なコアセルベーション、水溶性又は部分水溶性〜非水溶性の荷電又は中性ポリマー、液晶、ホットメルト、ヒドロゲル、香料付与プラスチック、マイクロカプセル、ナノ−、及びマイクロラテックス、ポリマー性フィルム形成剤、ポリマー性吸収剤、ポリマー性吸着剤等がいくつかの例である。ＰＡＤは、以下を含むがこれらに限定されない。
【００７５】
マトリックスシステム：芳香剤をポリマーマトリックス又は粒子中に溶解又は分散させる。香料は例えば、１）製品に配合する前にポリマー中に分散させるか、又は２）製品の配合時又は配合後にポリマーとは別に添加され得る。ポリマーからの香料の拡散は、所望の表面（部位）に付着又は塗布したポリマー性マトリックスシステムからの香料の放出を可能とするかその放出速度を増大させる上で一般的な誘因であるが、香料の放出を制御し得る他の多くの誘因が知られている。ポリマー性粒子、フィルム、溶液等の内部又は外部への吸収、及び／又は吸着はこの技術の側面である。有機物質（例えば、ラテックス）からなるナノ−又はマイクロ粒子がその例である。好適な粒子としては、これらに限定されるものではないが、ポリアセタール、ポリアクリレート、ポリアクリル酸、ポリアクリロニトリル、ポリアミド、ポリアリールエーテルケトン、ポリブタジエン、ポリブチレン、ポリブチレンテレフタレート、ポリクロロプレン、ポリエチレン、ポリエチレンテレフタレート、ポリシクロヘキシレンジメチレンテレフタレート、ポリカーボネート、ポリクロロプレン、ポリヒドロキシアルカノエート、ポリケトン、ポリエステル、ポリエチレン、ポリエーテルイミド、ポリエーテルスルホン、ポリエチレンクロリネート、ポリイミド、ポリイソプレン、ポリ乳酸、ポリメチルペンテン、ポリフェニレンオキシド、ポリフェニレンスルフィド、ポリフタルアミド、ポリプロピレン、ポリスチレン、ポリスルホン、ポリ酢酸ビニル、ポリ塩化ビニル、並びにアクリロニトリル−ブタジエン、酢酸セルロース、エチレン−酢酸ビニル、エチレンビニルアルコール、スチレン−ブタジエン、酢酸ビニル−エチレン、及びこれらの混合物等に基づいたポリマー又はコポリマー等の広範な物質が挙げられる。
【００７６】
「標準的な」システムとは、ポリマーに結合した予備充填された香料を香料の放出の瞬間まで保持することを意図して香料で予備充填されたもののことを指す。こうしたポリマーは、未希釈の製品の匂いを抑制し、香料の放出速度に応じてブルーム、及び／又は持続性の効果も与え得る。こうしたシステムにおける課題の１つは、１）製品内安定性（必要時までキャリア内部に香料を保持すること）と、２）適時放出（使用時又は乾燥部位から）との理想的なバランスを実現することである。こうした安定性の実現は、製品内保存時、及び製品のエイジング時に特に重要である。この課題は、強力液体洗濯用洗剤等の、水ベースの界面活性剤含有製品において特に明らかである。利用可能な多くの「標準的」マトリックスシステムは、水ベースの製品に配合した場合に効果的に「平衡」システムとなる。許容可能な製品内拡散安定性及び放出のための利用可能な誘因（例えば、摩擦）を有する「平衡」システム又はリザーバシステムを選択することができる。
【００７７】
「平衡」システムとは、香料及びポリマーを製品に別々に添加することができ、香料とポリマーとの間の平衡相互作用によって１つ以上の消費者接触点において効果をもたらすものである（これに対して、ポリマー支援型送達技術を有さない自由香料制御がある）。このポリマーも香料で予備充填することができるが、香料の一部又は全部が製品内保存時に拡散し、所望の香料原材料（ＰＲＭ）がポリマーに結合した平衡状態に達する場合がある。次に、ポリマーは香料を表面へと輸送し、通常、香料が拡散することで放出が行われる。こうした平衡システムポリマーの使用は、未希釈の製品の未希釈の匂いの強度を低下させる可能性を有する（通常、予備充填された標準システムの場合に特にそうした傾向がある）。こうしたポリマーの蓄積は放出プロファイルを「平坦化」し、持続性を高めることができる。上記に示したように、こうした持続性は初期の強度を抑制することによって得られ、配合者が、より高いインパクト又は低い嗅覚閾値（ＯＤＴ）又は低いコバッツ・インデックス（ＫＩ）のＰＲＭを使用して、初期の強度が強すぎたり、変質したりすることなくＦＭＯＴの効果を得ることが可能となる。所望の消費者の接触点に影響を与えるためには香料の放出は、適用のタイムフレーム内で起きることが重要である。好適なマイクロ粒子、及びマイクロラテックス並びにその製造方法は米国特許出願第２００５／０００３９８０（Ａ１）号に見ることができる。マトリックスシステムは更にホットメルト接着剤、及び香料プラスチックを含む。更に、疎水的に改質された多糖を香料添加製品に配合することによって香料蓄積を増大させ、及び／又は香料放出を改変することができる。多糖、及びナノラテックス等のこうしたマトリックスシステムはすべて、ＰＡＤリザーバシステム等の他のＰＡＤシステムを含む他のＰＤＴと組み合わせて香料マイクロカプセル（ＰＭＣ）の形態とすることができる。ポリマー支援型送達（ＰＡＤ）マトリックスシステムとしては下記の参考文献に記載のものが挙げられる：米国特許出願公開第２００４／０１１０６４８（Ａ１）号、同第２００４／００９２４１４（Ａ１）号、同第２００４／００９１４４５（Ａ１）号、及び同第２００４／００８７４７６（Ａ１）号、並びに米国特許第６，５３１，４４４号、同第６，０２４，９４３号、同第６，０４２，７９２号、同第６，０５１，５４０号、同第４，５４０，７２１号、及び同第４，９７３，４２２号。
【００７８】
シリコーンもＰＤＴとして使用され得るポリマーの例であり、ポリマー支援型送達「マトリックスシステム」と同様にして香料効果を与えるものである。このようなＰＤＴは、シリコーン支援型送達（ＳＡＤ）と呼ばれる。シリコーンを香料で予備充填してもよく、あるいは、シリコーンをＰＡＤについて述べたような平衡システムとして使用してもよい。好適なシリコーン並びにその製造方法は、国際公開第２００５／１０２２６１号、米国特許出願第２００５／０１２４５３０（Ａ１）号、同第２００５／０１４３２８２（Ａ１）号、及び国際公開第２００３／０１５７３６号に見ることができる。米国特許出願第２００６／００３９１３（Ａ１）号に記載されるように、官能化シリコーンも使用され得る。シリコーンの例としては、ポリジメチルシロキサン及びポリアルキルジメチルシロキサンが挙げられる。他の例としてはアミン官能基を有するものがあり、これを使用してアミン支援型送達（ＡＡＤ）、及び／又はポリマー支援型送達（ＰＡＤ）、及び／又はアミン反応生成物（ＡＲＰ）に関連した効果を与えることができる。このような他の例は、米国特許第４，９１１，８５２号、米国特許出願第２００４／００５８８４５（Ａ１）号、同第２００４／００９２４２５（Ａ１）号及び同第２００５／０００３９８０（Ａ１）号に見ることができる。
【００７９】
リザーバシステム：リザーバシステムはコア／シェル型技術、すなわち芳香剤が保護シェルとして機能し得る香料放出制御膜によって包囲される技術としても知られる。マイクロカプセル内部の物質がコア、内部相、又は充填物と呼ばれるのに対して、壁は時としてシェル、コーティング、又は膜と呼ばれる。マイクロ粒子、感圧カプセル又はマイクロカプセルはこうした技術の例である。本発明のマイクロカプセルは、これらに限定されるものではないが、コーティング、押出し、スプレー乾燥、界面重合、その場での重合、及びマトリクス重合等の様々な方法によって形成される。使用可能なシェル物質は水に対する安定性が大きく異なる。最も安定したものとして、水溶液（又は製品）中に特定のＰＲＭをより長期にわたって保持し得るポリオキシメチレン尿素（ＰＭＵ）系物質がある。こうしたシステムにはこれらに限定されるものではないが、尿素−ホルムアルデヒド、及び／又はメラミン−ホルムアルデヒドが含まれる。例えば架橋度に応じて水に速やかに又はゆっくりと溶解するようにゼラチン系マイクロカプセルを調製され得る。多くの他のカプセル壁物質が入手可能であり、観察される香料の拡散安定性の程度が異なっている。理論に束縛されるものではないが、例えばいったん所定の表面に付着したカプセルからの香料の放出速度は、通常、製品内の香料拡散安定性の逆の次数である。このため、例えば尿素−ホルムアルデヒド、及びメラミン−ホルムアルデヒドマイクロカプセルは通常、機械力（例、摩擦力、圧力、剪断応力）等の、カプセルを破壊して香料（芳香剤）の放出速度を増大させる、拡散以外（拡散に加えて）の放出機構を香料の放出のために必要とする。他の誘因としては、融解、溶解、加水分解又は他の化学反応、電磁放射等が挙げられる。予備充填されたマイクロカプセルの使用には、製品内安定性、及び使用時及び／又は表面上（部位上）放出の適正な比に加えてＰＲＭの適切な選択が求められる。尿素−ホルムアルデヒド、及び／又はメラミン−ホルムアルデヒドに基づいたマイクロカプセルは特に中性に近い水溶液中で比較的安定している。これらの物質は摩擦誘因を必要とする場合があるが、これはすべての製品用途に適用できるものではない。他のマイクロカプセル物質（例、ゼラチン）は水性製品中では不安定な場合があり、製品内エイジングした場合に（自由香料制御に対して）効果が低下する場合もある擦ると香りが出る（スクラッチアンドスニッフ）技術はＰＡＤの更なる別の例である。香料マイクロカプセル（ＰＭＣ）としては、以下の参考文献に記載のものが挙げられる：米国特許出願公開第２００３／０１２５２２２（Ａ１）号、同第２００３／２１５４１７（Ａ１）号、同第２００３／２１６４８８（Ａ１）号、同第２００３／１５８３４４（Ａ１）号、同第２００３／１６５６９２（Ａ１）号、同第２００４／０７１７４２（Ａ１）号、同第２００４／０７１７４６（Ａ１）号、同第２００４／０７２７１９（Ａ１）号、同第２００４／０７２７２０（Ａ１）号、同第２００６／００３９９３４（Ａ１）号、同第２００３／２０３８２９（Ａ１）号、同第２００３／１９５１３３（Ａ１）号、同第２００４／０８７４７７（Ａ１）号、同第２００４／０１０６５３６（Ａ１）号、及び米国特許第６，６４５，４７９（Ｂ１）号、同第６，２００，９４９（Ｂ１）号、同第４，８８２，２２０号、同第４，９１７，９２０号、同第４，５１４，４６１号、同第６，１０６，８７５号及び同第４，２３４，６２７号、同第３，５９４，３２８号、並びに、米国再発行特許第３２７１３号。
【００８０】
ｂ．分子支援型送達（ＭＡＤ）
非ポリマー物質又は分子もまた、香料の送達を向上させるために供され得る。理論に束縛されるものではないが、香料は有機物質と非共有結合的に相互作用する場合があり、香料の蓄積、及び／又は放出に影響する。こうした有機物質の非限定的な例としては、これらに限定されるものではないが、有機油、ロウ、鉱物油、ペトロラタム、脂肪酸又はエステル等の疎水性物質、糖、界面活性剤、リポソーム、更には他の香料原材料（香油）、並びにボディオイル及び／又は他のオイル（soil）等の天然油が挙げられる。香料定着剤は更なる別の例である。１つの態様では、非ポリマー性物質又は分子は約２を超えるＣＬｏｇＰ値を有する。ＭＡＤはまた、米国特許第７，１１９，０６０号及び同第５，５０６，２０１号に記載されているものを含み得る。
【００８１】
ｃ．繊維支援型送達（ＦＡＤ）
部位自体の選択又は使用は、香料の送達を向上させ得る。実際に、部位自体が香料送達技術であり得る。例えば、綿又はポリエステル等の異なる種類の布は、香料をひき付ける、及び／又は保持する、及び／又は放出する能力に関して異なる性質を有する。繊維の表面又は内部に蓄積される香料の量は、繊維の選択によって、更に繊維の履歴又は処理によって、並びにあらゆる繊維コーティング又は処理によって変化し得る。繊維は織物でであっても不織布であってもよく、天然繊維でも合成繊維でもよい。天然繊維には植物、動物、及び地質学的プロセスによって作られるものが含まれ、綿、リネン、黄麻、亜麻、カラムシ、サイザル、及び紙や布の製造に使用される繊維が含まれるがこれらに限定されない。ＦＡＤは、サーモメカニカルパルプ、さらし又は未さらしクラフト、又は亜硫酸パルプ等の木質繊維の使用からなり得る。動物繊維は、主として絹、腱、腸線、及び毛髪（ウール等）等の特定のタンパク質からなるものである。合成化学物質に基づいたポリマー繊維には、これらに限定されるものではないが、ポリアミドナイロン、ＰＥＴ又はＰＢＴポリエステル、フェノール−ホルムアルデヒド（ＰＦ）、ポリビニルアルコール繊維（ＰＶＯＨ）、ポリ塩化ビニル繊維（ＰＶＣ）、ポリオレフィン（ＰＰ、及びＰＥ）及びアクリルポリマーが含まれる。こうした繊維はすべて香料で予備充填し、次いで自由香料、及び／又は１つ以上の香料送達技術を含んでも含まなくてもよい製品に添加することができる。１つの態様では、香料で充填する前に繊維を製品に添加し、次いで繊維中に拡散し得る香料を製品に添加することによって繊維を香料で充填してもよい。理論に束縛されるものではないが、香料は例えば、製品の保存時に繊維表面に吸収されるか繊維内部に吸着され、後に１つ以上のモーメント・オブ・トゥルース又は消費者接触点において放出され得る。
【００８２】
ｄ．アミン支援型送達（ＡＡＤ）
アミン支援型送達技術の手法は、アミン基を含有する物質を使用することによって香料の蓄積量を増大させ、製品使用時の香料放出性を改変するものである。この手法では、製品への添加に先立って香料原材料とアミンとを予め複合又は予め反応させる必要がない。１つの態様では、本明細書中で使用するのに好適なアミン含有ＡＡＤ物質は、例えばＰＥＩ等のポリアルキルイミン若しくはＰＶＡｍ等の非芳香族、又は例えばアントラニレート等の芳香族であり得る。こうした物質はポリマー性又は非ポリマー性であってもよい。１つの態様では、このような物質は少なくとも１つの第一級アミンを含有する。この技術は、アミン官能基によって低ＯＤＴの香料の香り（例、アルデヒド、ケトン、エノン）の持続性を高めるとともにその放出制御を可能とし、理論に束縛されるものではないが、更にポリマー性アミンのポリマー支援型送達による他のＰＲＭの送達を可能とするものである。この技術を用いない場合、揮発性のトップノートが失われるのが早過ぎ、トップノートに対するミドル、及びベースノートの比が高くなってしまう。ポリマー性アミンの使用により、より高濃度のトップノート、及び他のＰＲＭを使用することで未希釈の製品の匂いが理想よりも強くなりすぎないように新鮮さを持続したり、トップノート及び他のＰＲＭをより効率的に利用することが可能となる。１つの態様では、ＡＡＤシステムは中性付近よりも高いｐＨにおいてＰＲＭを効果的に送達する。理論に束縛されるものではないが、ＡＡＤシステムのより多くのアミンが脱プロトン化されるような条件下では、不飽和ケトン、及びダマスコーン等のエノンを含むアルデヒド、並びにケトン等のＰＲＭに対する、脱プロトン化されたアミンの親和性が高くなり得る。別の１つの態様では、ポリマー性アミンは中性付近よりも低いｐＨにおいてＰＲＭを効果的に送達する。理論に束縛されるものではないが、ＡＡＤシステムのより多くのアミンがプロトン化されるような条件下では、アルデヒド、及びケトン等のＰＲＭに対する、プロトン化されたアミンの親和性が低くなり、幅広いＰＲＭに対してポリマー骨格の親和性が高くなり得る。こうした態様では、ポリマー支援型送達によってより高い香料効果が送達され得る。すなわち、こうしたシステムはＡＡＤの下位に分類されるものであり、アミン−ポリマー支援型送達すなわちＡＰＡＤと呼ぶことができる。ｐＨが７未満の組成物でＡＰＡＤを用いるような場合には、こうしたＡＰＡＤシステムはポリマー支援型送達（ＰＡＤ）と考えることもできる。更なる別の態様では、ＡＡＤ、及びＰＡＤシステムはアニオン界面活性剤又はポリマー等の他の物質と相互作用してコアセルベート、及び／又はコアセルベート状のシステムを形成する。別の態様では、例えば硫黄、リン、セレニウム等の窒素以外のヘテロ原子を含有する物質をアミン化合物の代わりに使用され得る。更なる別の態様では、上記の代替化合物をアミン化合物と組み合わせて使用することができる。更なる別の態様では、１つの分子がアミン部分と、例えばチオール、ホスフィン、及びセレノール等の１つ以上の代替ヘテロ原子部分とを含み得る。好適なＡＡＤシステム並びにその製造方法は、米国特許出願第２００５／０００３９８０（Ａ１）号、同第２００３／０１９９４２２（Ａ１）号、同第２００３／００３６４８９（Ａ１）号、同第２００４／０２２００７４（Ａ１）号、及び米国特許第６，１０３，６７８号に見ることができる。
【００８３】
ｅ．デンプン封入アコード（ＳＥＡ）
デンプン封入アコード（ＳＥＡ）技術の使用によれば、例えばデンプン等の成分を加えて液体香料を固体に変換することによって、香料の性質を改変することが可能である。その効果には、製品保存時の香料の保持率が特に非水性条件下において向上することが含まれる。水分との接触時には香料のブルームが誘発され得る。デンプンによって製品の配合者は、通常であればＳＥＡの非存在下では使用できないＰＲＭ又はＰＲＭの濃度を選択することが可能となることから、他のモーメント・オブ・トゥルースにおける効果が更に得られる可能性がある。別の技術の例としては、香料を液体から固体に転化する上でシリカ等の他の有機、及び無機物質を使用することが挙げられる。好適なＳＥＡ並びにその製造方法は、米国特許出願第２００５／０００３９８０（Ａ１）号及び米国特許第６，４５８，７５４（Ｂ１）号に見ることができる。
【００８４】
ｆ．ゼオライト及び無機キャリア（ＺＩＣ）
この技術は香料を送達するのに多孔質のゼオライト又は他の無機物質を使用することに関する。香料で充填したゼオライトを、例えば香料充填ゼオライト（ＰＬＺ）をコーティングするために使用される補助成分とともに、又はこのような補助成分なしで使用して、製品保存時、又は使用時、又は乾燥した部位からの香料放出特性を変化させることが可能である。好適なゼオライト及び無機キャリア並びにその製造方法は、米国特許出願公開第２００５／０００３９８０（Ａ１）号、並びに米国特許第５，８５８，９５９号、同第６，２４５，７３２（Ｂ１）号、同第６，０４８，８３０号、及び同第４，５３９，１３５号に見ることができる。シリカはＺＩＣの別の形態である。好適な無機キャリアの別の例としては無機チューブがあり、その場合香料又は他の活性物質がナノ又はマイクロチューブの内腔内に収容される。好ましくは、香料で充填した無機チューブ（香料充填チューブ又はＰＬＴ）は、ハロイサイト、又はハロイサイトと他の無機物質（他の粘土を含む）との混合物のような、鉱物性のナノ又はマイクロチューブである。ＰＬＴ技術は、製品内拡散安定性、所望の部位への蓄積を向上させ、充填された香料の放出速度を制御する目的でチューブの内側、及び／又は外側に更なる成分を含み得る。デンプン封入体等のモノマー性、及び／又はポリマー性物質を使用してＰＬＴをコーティング、プラギング、キャッピング又は封入することが可能である。好適なＰＬＴシステム並びにその製造方法は、米国特許第５，６５１，９７６号に見ることができる。
【００８５】
ｇ．プロ香料（ＰＰ）
この技術は、１つ以上のＰＲＭと１つ以上のキャリアとの間に共有結合を有する物質を形成するために香料物質と他の基材又は化学物質とを反応させることから得られる香料技術を指す。ＰＲＭはプロＰＲＭ（すなわちプロ香料）と呼ばれる新たな物質へと変換され、これは水や光等の誘因に曝されると最初のＰＲＭを放出し得る。ＰＰは、増大した香料蓄積量、持続性、安定性、保持率等の向上した香料送達特性を与え得る。ＰＰには、モノマー性（非ポリマー性）又はポリマー性のものがあり、ＰＰは、予め形成してもよく、製品内保存時又は湿潤又は乾燥部位に存在し得るような平衡条件下でその場で形成してもよい。ＰＰの非限定的な例としては、マイケル付加物（例、ベータ−アミノケトン）、芳香族又は非芳香族イミン（シッフ塩基）、オキサゾリジン、ベータ−ケトエステル、及びオルトエステルが挙げられる。別の態様には、例えばアルファ、ベータ−不飽和ケトン、アルデヒド又はカルボキシルエステル等の、ＰＲＭを放出可能な１つ以上のベータ−オキシ又はベータ−チオカルボニル部分を有する化合物が含まれる。香料を放出させるための一般的な誘因は水との接触であるが、他の誘因として、酵素、熱、光、ｐＨ変化、自動酸化、平衡のシフト、濃度又はイオン強度の変化等が挙げられる。水ベースの製品では、光誘因プロ香料が特に適している。こうした光プロ香料（ＰＰＰ）には、これらに限定されるものではないが、誘発時にクマリン誘導体、及び香料、及び／又はプロ香料を放出するものが含まれる。放出されたＰＰは、上記に述べた誘因のいずれかによって１つ以上のＰＲＭを放出し得る。１つの態様では、ＰＰＰは、光、及び／又は水分誘因に暴露された場合に窒素系ＰＰを放出する。別の態様では、ＰＰＰから放出された窒素系ＰＰは、例えばアルデヒド、ケトン（エノン等）、及びアルコールから選択される１つ以上のＰＲＭを放出する。更に別の態様では、ＰＰＰはジヒドロキシクマリン誘導体を放出する。光誘因プロ香料は、クマリン誘導体、及び香料アルコールを放出するエステルであり得る。１つの態様では、プロ香料は、米国特許出願公開第２００６／００２０４５９（Ａ１）号に記載のジメトキシベンゾイン誘導体である。別の態様では、ＰＰは、電磁放射に暴露されるとアルコールを放出する３’，５’−ジメトキシベンゾイン（ＤＭＢ）誘導体である。更なる別の態様では、プロ香料は、リナロール、テトラヒドロリナロール、又はジヒドロミルセノール等の第三級アルコールを含む１つ以上の低ＯＤＴのＰＲＭを放出する。好適なプロ香料並びにその製造方法は、米国特許第７，０１８，９７８（Ｂ２）号、同第６，９８７，０８４（Ｂ２）号、同第６，９５６，０１３（Ｂ２）号、同第６，８６１，４０２（Ｂ１）号、同第６，５４４，９４５（Ｂ１）号、同第６，０９３，６９１号、同第６，２７７，７９６（Ｂ１）号、同第６，１６５，９５３号、同第６，３１６，３９７（Ｂ１）号、同第６，４３７，１５０（Ｂ１）号、同第６，４７９，６８２（Ｂ１）号、同第６，０９６，９１８号、同第６，２１８，３５５（Ｂ１）号、同第６，１３３，２２８号、同第６，１４７，０３７号、同第７，１０９，１５３（Ｂ２）号、同第７，０７１，１５１（Ｂ２）号、同第６，９８７，０８４（Ｂ２）号、同第６，６１０，６４６（Ｂ２）号、及び同第５，９５８，８７０号、並びに米国特許出願公開第２００５／０００３９８０（Ａ１）号、及び同第２００６／０２２３７２６（Ａ１）号に見ることができる。
【００８６】
アミン反応生成物（ＡＲＰ）：本出願の目的において、ＡＲＰはＰＰの下位又はその種に分類されるものである。アミン官能基が１つ以上のＰＲＭと予備反応してアミン反応生成物（ＡＲＰ）を生成することから、「反応性」ポリマー性アミンという呼び方をすることもできる。一般に、反応性アミンは第一級、及び／又は第二級アミンであり、ポリマー又はモノマー（非ポリマー）の一部であり得る。こうしたＡＲＰは、更なるＰＲＭと混合することでポリマー支援型送達及び／又はアミン支援型送達の効果を与えることも可能である。ポリマー性アミンの非限定的な例としては、ＰＥＩ等のポリアルキルイミン、又はＰＶＡｍに基づいたポリマーが挙げられる。モノマー性（非ポリマー性）アミンの非限定的な例としては、２−アミノエタノール、及びこのアルキル置換誘導体等のヒドロキシルアミン、並びにアントラニレート等の芳香族アミンが挙げられる。ＡＲＰは香料と予め混合してもよく、リーブオン又はリンスオフの用途では香料と別に添加してもよい。別の態様では、例えば酸素、硫黄、リン又はセレニウム等の窒素以外のヘテロ原子を含有する物質をアミン化合物の代わりに使用することができる。更なる別の態様では、上記の代替化合物をアミン化合物と組み合わせて使用することができる。更なる別の態様では、１つの分子がアミン部分と、例えばチオール、ホスフィン、及びセレノール等の１つ以上の代替ヘテロ原子部分とを有していてもよい。効果としては、香料の送達が向上すること、及び香料の放出制御がある。好適なＡＲＰ並びにその製造方法は、米国特許出願公開第２００５／０００３９８０（Ａ１）号、及び米国特許第６，４１３，９２０（Ｂ１）号に見ることができる。
【００８７】
３．低分子量ポリオール
香料物質に加えて、悪臭制御構成成分は、エチレングリコール、ジエチレングリコール、トリエチレングリコール、プロピレングリコール、ジプロピレングリコール及び／又はグリセリンのような比較的高い沸点（水と比べて）を有する低分子量ポリオールを含んでいてよい。このようなポリオールは、本発明の組成物の臭気の中和を向上し得る。いくつかのポリオール、例えば、ジプロピレングリコールはまた、本発明の組成物中のいくつかの香料成分の可溶化を促進するのにも有用である。
【００８８】
本発明の組成物で使用されるグリコールは、グリセリン、エチレングリコール、プロピレングリコール、ジプロピレングリコール、ポリエチレングリコール、プロピレングリコールメチルエーテル、プロピレングリコールフェニルエーテル、プロピレングリコールメチルエーテルアセテート、プロピレングリコールｎ−ブチルエーテル、ジプロピレングリコールｎ−ブチルエーテル、ジプロピレングリコールｎ−プロピルエーテル、エチレングリコールフェニルエーテル、ジエチレングリコールｎ−ブチルエーテル、ジプロピレングリコールｎ−ブチルエーテル、ジエチレングリコールモノブチルエーテル、ジプロピレングリコールメチルエーテル、トリプロピレングリコールメチルエーテル、トリプロピレングリコールｎ−ブチルエーテル、その他のグリコールエーテル、又はこれらの混合物であってもよい。一実施形態では、使用されるグリコールは、エチレングリコール、プロピレングリコール、又はこれらの混合物である。別の実施形態では、使用されるグリコールはジエチレングリコールである。
【００８９】
典型的には、低分子量ポリオールは、本発明の組成物の約０．０１重量％〜約５重量％、あるいは約０．０５重量％〜約１重量％、あるいは本発明の組成物の約０．１重量％〜約０．５重量％の濃度で、本発明の組成物に加える。濃度の高い組成物ほど、布地が汚れの影響を受けやすくなる場合があり、及び／又は、フレッシュニング組成物の溶液が布地から蒸発すると、許容不能な目に見える染みが布地上に残る場合がある。低分子量ポリオールの悪臭結合ポリマーに対する重量比は約５００：１〜約４：１、あるいは約１：１００〜約２５：１、あるいは約１：５０〜約４：１、あるいは約４：１である。
【００９０】
４．シクロデキストリン
いくつかの実施形態では、本発明のフレッシュニング組成物は、可溶化された水溶性の非錯化シクロデキストリンを含んでもよい。本明細書で使用される用語「シクロデキストリン」は、６〜１２個のグルコース単位を含有する非置換型シクロデキストリン、特に、α−シクロデキストリン、β−シクロデキストリン、γ−シクロデキストリン、及び／又はこれらの誘導体及び／又はこれらの混合物のような既知のシクロデキストリンのいずれかを含む。α−シクロデキストリンは６個のグルコース単位からなり、β−シクロデキストリンは７個のグルコース単位からなり、γ−シクロデキストリンは、ドーナツ状の環に配置された８個のグルコース単位からなる。これらのグルコース単位の特異結合及びコンホメーションによって、特定の体積の中空の内側を有する剛性の円錐形分子構造をシクロデキストリンにもたらす。内部空洞の「内張り」は、水素原子とグリコシド結合の酸素原子によって形成されているので、この表面はかなりの疎水性を有する。この空洞の独自の形と物理的・化学的特性によって、シクロデキストリン分子は、その空洞に収まることのできる有機分子又は有機分子の一部を吸収する（その空洞に収まることのできる有機分子又は有機分子の一部と包接錯体を形成する）ことができるようになる。多くの香料分子は、上記の空洞に収まることができる。
【００９１】
シクロデキストリン分子については、米国特許第５，７１４，１３７号、及び同第５，９４２，２１７号に説明されている。シクロデキストリンの好適な濃度は、フレッシュニング組成物の約０．１重量％〜約５重量％、あるいは約０．２重量％〜約４重量％、あるいは約０．３重量％〜約３重量％、あるいは約０．４重量％〜約２重量％である。濃度の高いフレッシュニング組成物ほど、布地が汚れの影響を受けやすくなり得、及び／又は、フレッシュニング組成物の溶液が布地から蒸発すると、許容不能な目に見える染みが布地上に残り得る。後者は、薄く、着色された合成布地上で特に問題となる。布地の染みの発生を回避又は最小化するために、布地１ｍｇ当たり約５ｍｇ未満の濃度のシクロデキストリン、あるいは布地１ｍｇ当たり約２ｍｇ未満の濃度のシクロデキストリンで布地を処理してもよい。
【００９２】
５．酸触媒
本発明の悪臭制御構成成分は、イオウ系悪臭を中和するために、有効量の酸触媒を含んでもよい。特定の弱酸は、液相及び気相中のチオールとのアルデヒド反応性に影響を有することが判明している。チオールとアルデヒドとの間の反応は、ヘミアセタール及びアセタール形成経路の機構に従う触媒反応であることが判明している。本悪臭制御構成成分が酸触媒を含有し、イオウ系悪臭と接触すると、揮発性アルデヒドはチオールと反応する。この反応は、チオールアセタール化合物を形成し、したがって、イオウ系臭気を中和し得る。酸触媒がないと、へミチオールアセタールのみが形成される。
【００９３】
好適な酸触媒は、Ｓｃｉｆｉｎｄｅｒにより報告されているとおり、２５℃で、約０．００１トール〜約３８トール（０．１３３Ｐａ〜５．０７ｋＰａ）、あるいは約０．００１トール〜約１４トール（０．１３３Ｐａ〜１．８７ｋＰａ）、あるいは約０．００１トール〜約１トール（０．１３３Ｐａ〜約１３３Ｐａ）、あるいは約０．００１トール〜約０．０２０トール（０．１３３Ｐａ〜２．６７Ｐａ）、あるいは約０．００５トール〜約０．０２０トール（０．６６７Ｐａ〜２．６７Ｐａ）、あるいは約０．０１０トール〜０．０２０トール（１．３３Ｐａ〜２．６７Ｐａ）の範囲のＶＰを有する。
【００９４】
酸触媒は、弱酸であり得る。弱酸は、弱酸の解離における均衡定数である解離定数Ｋaによって特徴付けられ、ｐＫａは、Ｋaの常用対数にマイナスをつけたものである。酸触媒は、約４．０〜約６．０、あるいは約４．３及び５．７、あるいは約４．５〜約５、あるいは約４．７〜約４．９のｐＫａを有し得る。好適な酸触媒には、表４に列挙されるものが挙げられる。
【００９５】
【表１０】
2013514151.tif 000013
【００９６】
悪臭制御構成成分の所望の用途に依存して、酸触媒を選択する際に、香り特性又は悪臭制御構成成分の香りへの作用を考えてもよい。悪臭制御構成成分のいくつかの実施形態では、中和〜好ましい香りを供給する酸触媒を選択することが望ましいことがある。このような酸触媒は、２５℃で測定したときに、約０．００１トール〜約０．０２０トール（０．１３３Ｐａ〜２．６７Ｐａ）、あるいは約０．００５トール〜約０．０２０トール（０．６６７Ｐａ〜２．６７Ｐａ）、あるいは約０．０１０トール〜約０．０２０トール（１．３３Ｐａ〜２．６７Ｐａ）のＶＰを有し得る。このような酸触媒の非限定例としては、カルボン酸不純物を有する５−メチルチオフェンカルボキシアルデヒド、コハク酸又は安息香酸が挙げられる。
【００９７】
悪臭制御構成成分は、悪臭制御構成成分の約０．０５重量％〜約５重量％、あるいは約０．１重量％〜約１．０重量％、あるいは約０．１重量％〜約０．５重量％、あるいは約０．１重量％〜約０．４重量％、あるいは約０．４重量％の酸触媒を含み得る。
【００９８】
酢酸システムにおいて、本発明の悪臭制御構成成分は、約０．４％の酢酸（５０：５０のＴＣ：ＤＰＭ、０．４％の酢酸）を含み得る。
【００９９】
【表１１】
2013514151.tif 000014
【０１００】
悪臭制御構成成分は、約３〜約８、あるいは約４〜約７、あるいは約４〜約６のｐＨを有し得る。
【０１０１】
６．任意成分
悪臭制御構成成分は、所望により、臭気マスキング剤及び／又は臭気ブロック剤を含み得る。「臭気ブロック」とは、ヒトの嗅覚を鈍らせる化合物の能力を指す。「臭気マスキング」とは、悪臭化合物を遮蔽又は覆う化合物の能力を指す。臭気マスキングは、悪臭化合物を感知する能力を制限するように投与される不快ではない又は好ましい匂いを有する化合物を含み得る。臭気マスキングは、予想された悪臭と一緒になって、臭気化合物の組み合わせにより提供される全体の匂いの知覚を変化させる化合物の選択を伴い得る。
【０１０２】
悪臭制御構成成分はまた、所望により、快楽効果を供給するだけの（すなわち、悪臭を中和しないが、快い香りは供給する）香料原材料を含み得る。好適な香料は、米国特許第６，２４８，１３５号に開示されており、これは参照によりその全体が組み込まれる。
【０１０３】
例えば、悪臭制御構成成分は、悪臭を中和するための揮発性アルデヒドと香料イオノンと希釈剤との混合物を含み得る。あるいは、悪臭制御構成成分は、１００％揮発性アルデヒドから構成されてもよい。
【０１０４】
Ｃ．緩衝剤
本発明のフレッシュニング組成物は、二塩基酸、カルボン酸、又はマレイン酸のようなジカルボン酸であってもよい緩衝剤を含む。この酸は立体的に安定していてもよく、所望のｐＨを保つ目的のみで、本発明の組成物で使用してもよい。本発明のフレッシュニング組成物のｐＨは約３〜約８、あるいは約４〜約７、あるいは約５〜約８、あるいは約６〜約８、あるいは約６〜約７、あるいは約７、あるいは約６．５であってもよい。
【０１０５】
クエン酸のようなカルボン酸は、金属イオンキレートとして機能する場合があり、水溶性の低い金属塩を形成することができる。したがって、いくつかの実施形態では、本発明のフレッシュニング組成物はクエン酸を本質的に含まない。緩衝剤は、アルカリ性、酸性、又は中性であることができる。
【０１０６】
本発明のフレッシュニング組成物用のその他の好適な緩衝剤としては、生物学的緩衝剤が挙げられる。いくつかの例は、窒素含有物質、３−（Ｎ−モルホリノ）プロパンスルホン酸（ＭＯＰＳ）又はＮ−（２−アセトアミド）−２−アミノエタンスルホン酸（ＡＣＥＳ）のようなスルホン酸緩衝剤であり、これらのｐＫａは中性付近の６．２〜７．５であり、中性のｐＨにおいて十分な緩衝力を発揮する。他の例は、リシンのようなアミノ酸、又は、モノエタノールアミン、ジエタノールアミン、及びトリエタノールアミンのような低級アルコールアミンである。他の窒素含有緩衝剤は、トリ（ヒドロキシメチル）アミノメタン（ＨＯＣＨ２）３ＣＮＨ３（トリス）、２−アミノ−２−エチル−１，３−プロパンジオール、２−アミノ−２−メチル−プロパノール、２−アミノ−２−メチル−１，３−プロパノール、グルタミン酸二ナトリウム、Ｎ−メチルジエタノールアミド、２−ジメチルアミノ−２−メチルプロパノール（ＤＭＡＭＰ）、１，３−ビス（メチルアミン）−シクロヘキサン、１，３−ジアミノ−プロパノールＮ，Ｎ’−テトラ−メチル−１，３−ジアミノ−２−プロパノール、Ｎ，Ｎ−ビス（２−ヒドロキシエチル）グリシン（ビシン）、及びＮ−トリス（ヒドロキシメチル）メチルグリシン（トリシン）である。上記のいずれかの混合物も許容可能である。
【０１０７】
組成物は、緩衝剤をその組成物の少なくとも約０重量％、あるいは少なくとも約０．００１重量％、あるいは少なくとも約０．０１重量％含有してよい。また、本発明の組成物は、緩衝剤をその組成物の約１％以下、あるいは約０．７５重量％以下、あるいは約０．５重量％以下含有してよい。
【０１０８】
Ｄ．可溶化剤
本発明のフレッシュニング組成物は、組成物に加えることができる、組成物に容易には溶解できないいずれかの過剰な疎水性有機物質、詳細にはいずれかの香料物質、及び任意成分（例えば、害虫忌避剤、酸化防止剤等）を可溶化するための希釈剤又は可溶化補助剤を透明な溶液が形成されるように含有し得る。代表的な可溶化補助剤として、非発泡又は低発泡界面活性剤、カチオン性界面活性剤、両性界面活性剤、双極性界面活性剤、及びこれらの混合物等が挙げられる。代表的な可溶化剤としては、ジプロピレングリコールメチルエーテル、３−メトキシ−３−メチル−１−ブタノール、及びこれらの混合物も挙げられる。
【０１０９】
いくつかの実施形態では、組成物は、非イオン性界面活性剤、カチオン性界面活性剤、及びこれらの混合物を含有する。一実施形態では、本発明のフレッシュニング組成物は硬化ヒマシ油を含有する。本発明の組成物に使用され得る１つの好適な硬化ヒマシ油は、ＢＡＳＦから入手可能なＢａｓｏｐｈｏｒ（商標）である。
【０１１０】
アニオン性界面活性剤及び／又は洗剤用界面活性剤を含有する組成物では、布地が汚れの影響を受けやすくなる場合があり、及び／又は、フレッシュニング組成物の溶液が布地から蒸発すると、許容不能な目に見える染みが布地上に残る場合がある。いくつかの実施形態では、本発明のフレッシュニング組成物は、アニオン性界面活性剤及び／又は洗剤用界面活性剤を含まない。
【０１１１】
可溶化剤が存在するとき、可溶化剤は典型的には、フレッシュニング組成物の約０．０１重量％〜約３重量％、あるいは約０．０５重量％〜約１重量％、あるいは約０．０１重量％〜約０．０５重量％の濃度で存在する。濃度の高いフレッシュニング組成物ほど、布地が汚れの影響を受けやすくなる場合があり、及び／又は、フレッシュニング組成物の溶液が布地から蒸発すると、許容不能な目に見える染みが布地上に残る場合がある。
【０１１２】
Ｅ．抗菌性化合物
本発明のフレッシュニング組成物は、空気中又は無生物表面上の微生物を減少させる化合物を有効量含んでもよい。抗菌性化合物は、ヒトの皮膚又はペットと接触した室内表面（カウチ、枕、ペットの寝具、及びカーペット等）の上に典型的に存在するグラム陰性及びグラム陽性バクテリア及び菌類に有効である。このような微生物種としては、肺炎杆菌、黄色ブドウ球菌、黒色アスペルギルス、肺炎杆菌、化膿レンサ球菌、豚コレラ菌、大腸菌、毛瘡白癬菌、及び緑膿菌が挙げられる。いくつかの実施形態では、抗菌性化合物は、Ｈ１−Ｎ１、ライノウイルス、ＲＳウイルス、１型ポリオウイルス、ロタウイルス、Ａ型インフルエンザ、１型及び２型単純ヘルペス、Ａ型肝炎、及びヒトコロナウイルスのようなウイルスにも有効である。
【０１１３】
本発明の組成物に好適な抗菌性化合物は、布地の外観を損傷（例えば、変色、着色（黄変等）、脱色）させないいずれの有機物質でもあることができる。水溶性抗菌性化合物としては、有機硫黄化合物、ハロゲン化化合物、環状有機窒素化合物、低分子量アルデヒド、第四級化合物、デヒドロ酢酸、フェニル及びフェノキシ化合物、又はこれらの混合物が挙げられる。
【０１１４】
一実施形態では、第四級化合物が使用される。フレッシュニング組成物に使用するのに好適な市販の第四級化合物の例は、Ｌｏｎｚａ  Ｃｏｒｐｏｒａｔｉｏｎから入手可能なＢａｒｑｕａｔ、Ｌｏｎｚａ  ＣｏｒｐｏｒａｔｉｏｎからＢａｒｄａｃ（登録商標）２２５０という商品名で販売されている第四級アンモニウム化合物のジデシルジメチルアンモニウムクロリドである。
【０１１５】
抗菌性化合物は、フレッシュニング組成物の約５００重量ｐｐｍ〜約７０００重量ｐｐｍ、あるいは約１０００重量ｐｐｍ〜約５０００重量ｐｐｍ、あるいは約１０００重量ｐｐｍ〜約３０００重量ｐｐｍ、あるいは約１４００重量ｐｐｍ〜約２５００重量ｐｐｍの量で存在してもよい。
【０１１６】
Ｆ．防腐剤
本発明の組成物は防腐剤を含み得る。防腐剤は本発明中に、特定の期間にわたり腐敗を防ぐか、又は、不注意にも加わってしまった微生物の増殖を防ぐのに十分であるが、フレッシュニング組成物の臭気中和性能に寄与するのに十分ではない量で含まれる。換言すれば、防腐剤は、微生物によって生じる臭気を消す目的でフレッシュニング組成物を堆積させる表面上の微生物を殺す抗菌性化合物として使用されているのではない。むしろ、組成物の貯蔵寿命を長くする目的で、防腐剤を使用して、フレッシュニング組成物の腐敗を防ぐ。
【０１１７】
防腐剤は、布地の外観を損傷（例えば、変色、着色、脱色）させない任意の有機防腐剤の物質であってもよい。好適な水溶性防腐剤としては、有機硫黄化合物、ハロゲン化化合物、環状有機窒素化合物、低分子量アルデヒド、パラベン、プロパンジオール（diaol）物質、イソチアゾリノン、第四級化合物、ベンゾエート、低分子量アルコール、デヒドロ酢酸、フェニル及びフェノキシ化合物、又はこれらの混合物が挙げられる。
【０１１８】
本発明で使用される市販の水溶性防腐剤の非限定例としては、５−クロロ−２−メチル−４−イソチアゾリン−３−オン約７７％と２−メチル−４−イソチアゾリン−３−オン約２３％の混合物、Ｋａｔｈｏｎ（登録商標）ＣＧという商品名でＲｏｈｍ  ａｎｄ  Ｈａａｓ  Ｃｏ．から１．５％の水溶液として入手可能な広域スペクトル防腐剤、Ｂｒｏｎｉｄｏｘ  Ｌ（登録商標）という商品名でＨｅｎｋｅｌから入手可能な５−ブロモ−５−ニトロ−１，３−ジオキサン、Ｂｒｏｎｏｐｏｌ（登録商標）という商品名でＩｎｏｌｅｘから入手可能な２−ブロモ−２−ニトロプロパン−１，３−ジオール、一般にはクロルヘキシジンとして知られる１，１’−ヘキサメチレンビス（５−（ｐ−クロロフェニル）ビグアニド）及びその塩、例えば、酢酸及びジグルコン酸との塩、Ｇｌｙｄａｎｔ  Ｐｌｕｓ（登録商標）という商品名でＬｏｎｚａから入手可能な１，３−ビス（ヒドロキシメチル）−５，５−ジメチル−２，４−イミダゾリジンジオンと３−ブチル−２−ヨードプロピニルカルバメートとの９５：５混合物、一般にはジアゾリジニル尿素として知られ、Ｇｅｒｍａｌｌ（登録商標）ＩＩという商品名でＳｕｔｔｏｎ  Ｌａｂｏｒａｔｏｒｉｅｓ  Ｉｎｃ．から入手可能なＮ−［１，３−ビス（ヒドロキシメチル）２，５−ジオキソ−４−イミダゾリジニル］−Ｎ，Ｎ’−ビス（ヒドロキシ−メチル）尿素、一般にはイミダゾリジニル尿素として知られ、例えば、３Ｖ−ＳｉｇｍａからはＡｂｉｏｌ（登録商標）という商品名で、ＩｎｄｕｃｈｅｍからはＵｎｉｃｉｄｅ  Ｕ−１３（登録商標）という商品名で、Ｓｕｔｔｏｎ  Ｌａｂｏｒａｔｏｒｉｅｓ，Ｉｎｃ．からはＧｅｒｍａｌｌ  １１５（登録商標）という商品名で入手可能なＮ，Ｎ”−メチレンビス｛Ｎ’−［１−（ヒドロキシメチル）−２，５−ジオキソ−４−イミダゾリジニル］尿素｝、Ｎｕｏｓｅｐｔ（登録商標）Ｃという商品名でＨｕｌｓ  Ａｍｅｒｉｃａから入手可能なポリメトキシ二環式オキサゾリジン、ホルムアルデヒド、グルタルアルデヒド、ＩＣＩ  Ａｍｅｒｉｃａｓ，Ｉｎｃ．からＣｏｓｍｏｃｉｌ  ＣＱ（登録商標）という商品名で、又は、Ｂｒｏｏｋｓ，Ｉｎｃ．からＭｉｋｒｏｋｉｌｌ（登録商標）という商品名で入手可能なポリアミノプロピルビグアニド、デヒドロ酢酸、及びＫｏｒａｌｏｎｅ（商標）Ｂ−１１９という商品名でＲｏｈｍ  ａｎｄ  Ｈａａｓ  Ｃｏｒｐｏｒａｔｉｏｎから入手可能なベンゾイソチアゾリノンが挙げられる。
【０１１９】
防腐剤の好適な濃度は、フレッシュニング組成物の約０．０００１重量％〜約０．５重量％、あるいは約０．０００２重量％〜約０．２重量％、あるいは約０．０００３重量％〜約０．１重量％である。
【０１２０】
Ｇ．湿潤剤
ポリエステル及びナイロンのような疎水性表面上に、組成物が容易かつより均一に展着されるような低表面張力をもたらす湿潤剤を、組成物は含んでもよい。本発明の水溶液は、このような湿潤剤がないと、十分には展着しないことが分かっている。本組成物によって処理した物質をユーザーがすぐに使える状態にできるように、組成物を展着させることによって、組成物がより早く乾くようにする。更に、湿潤剤を含有する組成物は、疎水性の油汚れに、より浸透して、悪臭中和性を向上させることができる。湿潤剤を含有する組成物は、「衣服着用中」の静電気制御性を向上させることもできる。濃縮組成物では、湿潤剤は、濃縮水性組成物中の抗菌性活性物質及び香料のような多くの活性物質の分散を促す。
【０１２１】
湿潤剤の非限定例としては、エチレンオキシドとプロピレンオキシドとのブロックコポリマーが挙げられる。好適なブロックポリオキシエチレン−ポリオキシプロピレンポリマー界面活性剤としては、初期の反応性水素化合物としてエチレングリコール、プロピレングリコール、グリセロール、トリメチロールプロパン、及びエチレンジアミンベースとするものが挙げられる。例えば、Ｃ12〜18脂肪族アルコールのような、単一の反応性水素原子を有する初期化合物を逐次的なエトキシル化及びプロポキシル化によって作製した高分子化合物は、一般に、シクロデキストリンと親和性を示さない。ＢＡＳＦ−Ｗｙａｎｄｏｔｔｅ  Ｃｏｒｐ．（Ｗｙａｎｄｏｔｔｅ，Ｍｉｃｈｉｇａｎ）によってＰｌｕｒｏｎｉｃ（登録商標）及びＴｅｔｒｏｎｉｃ（登録商標）と命名された特定のブロックポリマー界面活性剤化合物は、容易に入手可能である。
【０１２２】
この種類のシクロデキストリン親和性湿潤剤の非限定例は、米国特許第５，７１４，１３７号に記載されており、Ｍｏｍｅｎｔｉｖｅ  Ｐｅｒｆｏｒｍａｎｃｅ  Ｃｈｅｍｉｃａｌ（Ａｌｂａｎｙ、Ｎｅｗ  Ｙｏｒｋ）から入手可能なＳｉｌｗｅｔ（登録商標）という界面活性剤が挙げられる。代表的なＳｉｌｗｅｔ界面活性剤は下記のとおりである。
【０１２３】
【表１２】
2013514151.tif 000015
及びそれらの混合物が挙げられる。
【０１２４】
Ｈ．水性キャリア
本発明の組成物は水性キャリアを含み得る。使用される水性キャリアは、蒸留したもの、脱イオン化したもの、又は水道水であってもよい。水は、組成物が水溶液になる量で存在してもよい。いくつかの実施形態では、水は、上記フレッシュニング組成物の約８５重量％〜９９．５重量％、あるいは約９０重量％〜約９９．５重量％、あるいは約９２重量％〜約９９．５重量％、あるいは約９５重量％の量で存在してもよい。低分子量一価アルコール、例えば、エタノール、メタノール、及びイソプロパノール、又はポリオール（エチレングリコール、及びプロピレングリコール等）を少量含有する水も有用であり得る。しかしながら、エタノール及び／又はイソプロパノールのような揮発性の低分子量一価アルコールは制限すべきである。これらの揮発性有機化合物は、引火性の問題と環境汚染の問題の双方の一因になるからである。少量の低分子量一価アルコールを香料として、及び一部の防腐剤の安定化剤として本発明の組成物に加えたために、少量の低分子量一価アルコールが本発明の組成物に存在する場合、一価アルコールの濃度は、フレッシュニング組成物の約６重量％未満、あるいは約３重量％未満、あるいは約１重量％未満であってもよい。
【０１２５】
Ｉ．他の任意成分
アジュバントを既知の目的で、フレッシュニング組成物に任意で加えることができる。このようなアジュバントとしては、水溶性金属塩、帯電防止剤、害虫及び蛾忌避剤、着色剤、酸化防止剤、及びこれらの混合物が挙げられるが、これらに限定されない。
【０１２６】
ＩＩ．製造方法
組成物は、当該技術分野において既知のいずれかの好適な方法で作製することができる。すべての成分を単純に混合することができる。特定の実施形態では、成分の濃縮混合物を作製し、フレッシュニング組成物を空気中又は無生物表面上に散布する前に、その濃縮混合物を水性キャリアに加えることによって希釈するのが望ましい場合がある。別の実施形態では、脱イオン水及びエタノール、並びに低分子量ポリオールを含む１つの容器中に、悪臭結合ポリマーを分散させてもよい。続いて、完全に分散され、視覚上溶解するまで、この容器に緩衝剤を加える。別の容器で、均質になるまで可溶化剤と香料を混合する。続いて、可溶化剤と香料の溶液を第１の混合容器に加え、均質になるまで混合する。
【０１２７】
ＩＩＩ．使用方法
本発明のフレッシュニング組成物は、散布することによって、例えば、スプレーディスペンサーのような分配手段の中に本発明の水溶液を入れ、有効量を空気中、又は所望の表面若しくは物品上にスプレーすることによって、使うことができる。有効量とは、本明細書における定義では、ヒトの臭覚によって認識できないうえに、物品又は表面に液体が染みこんだり、又は液体の水溜りができたりして、乾いたときに、容易には認識可能な目に見える堆積物ができることのない濃度で、悪臭を中和するのに十分な量を意味する。散布は、スプレー器具、ローラー、パッド等を使用して行うことができる。
【０１２８】
本発明は、家庭の表面上の悪臭を減少させる組成物を有効量散布する方法を包含する。家庭の表面は、カウンタートップ、キャビネット、壁、床、浴室の表面、及びキッチンの表面からなる群から選択する。
【０１２９】
本発明は、布地及び／又は布地物品上の悪臭を減少させる組成物の霧状液を有効量散布する方法を包含する。布地及び／又は布地物品としては、布、カーテン、掛け布、布張りの家具、カーペット、ベッド用リネン、浴室用リネン、テーブルクロス、寝袋、テント、車内、例えば、車用カーペット、車の布地製シート等が挙げられるが、これらに限定されない。
【０１３０】
本発明は、靴の上及び中の悪臭の印象を減少させる組成物の霧状液を有効量散布する方法であって、靴に、浸透するまでスプレーすべきでない方法を包含する。
【０１３１】
本発明は、シャワーカーテン上の悪臭の印象を減少させる組成物の霧状液を有効量散布する方法を包含する。
【０１３２】
本発明は、ゴミ箱及び／又はリサイクル用回収箱の上及び／又は中の悪臭の印象を減少させる組成物の霧状液を有効量散布する方法に関する。
【０１３３】
本発明は、空気中の悪臭の印象を減少させる組成物の霧状液を有効量散布して、悪臭を中和する方法に関する。
【０１３４】
本発明は、主な家電（冷蔵庫、冷凍庫、洗濯機、自動乾燥機、オーブン、電子レンジ、食器洗浄機等が挙げられるが、これらに限定されない）の中及び／又は上の悪臭の印象を減少させる組成物の霧状液を有効量散布して、悪臭を中和する方法に関する。
【０１３５】
本発明は、猫用トイレ、ペットの寝具、及びペットハウスの上の悪臭の印象を減少させる組成物の霧状液を有効量散布して、悪臭を中和する方法に関する。
【０１３６】
本発明は、家庭のペットの悪臭の印象を減少させる組成物の霧状液を有効量散布して、悪臭を中和する方法に関する。
【実施例】
【０１３７】
悪臭の減少
表６は、本発明によるフレッシュニング組成物の非限定例を示している。
【０１３８】
【表１３】
2013514151.tif 000016
【０１３９】
表６の調合物ＶＩ、ＶＩＩ、及びＶＩＩＩを調製し、悪臭への作用について、悪臭結合ポリマーを含有しない組成物である対照調合物Ｖと比較する。図１は、本発明に従ってフレッシュニング組成物中に悪臭結合ポリマーを含めると、処理した布地から蒸発するアルデヒドの悪臭が減少することを示している。
【０１４０】
布地サンプルに、対象の悪臭を注入する。グリースを注入する際には、８オンスのグリースをＰｒｅｓｔｏ（商標）の電気スキレットに入れ、スキレットの蓋で覆う。このスキレットを１１４リットル（３０ガロン）の金属製ゴミ箱に入れる。スキレットの電気コードをゴミ箱の１．５インチ（３．８ｃｍ）の穴に通す。スキレットを１２１℃まで加温し、１５分間平衡状態に保つ。蓋を外す。ゴミ箱の蓋の中にある回転台の上の金属クリップで、８インチ（２０．３ｃｍ）×８インチ（２０．３ｃｍ）の布地小片を吊るす。この小片の最下部から測定すると、スキレットの最上部までの距離は８インチ（２０．３ｃｍ）である。ゴミ箱に蓋を置き、回転台を手で１分当たり１５回、４０分間回転させる。注入後、試験対象の各フレッシュニング組成物を小片にスプレーする。各小片に対するスプレー作業は、トリガースプレーボトルのトリガーを完全に引く動作を２回行うことからなる。ボトルは、布地から６インチ（１５．２センチ）離れた位置に保ち、スプレー作業は、布地の中央に行う。処理直後に、各布地は半分に切断し、丸め、それぞれヘッドスペースが１２５ｍＬのバイアルの中に入れる。このバイアルを密封する。バイアルを少なくとも２時間、１００℃にて平衡状態に保ってから、ＰＤＭＳ  ＳＰＭＥファイバーを使用して各バイアルをサンプリングすることによって分析するとともに、ＧＣ／ＭＳによって分析する。続いて、すべてのサンプルにおいて、事前に同定されている悪臭構成成分を追跡する。各ピークの累積面積カウントの総面積カウントのデータを集める。
【０１４１】
微生物の減少
表７は、本発明によるフレッシュニング組成物の非限定例を示している。
【０１４２】
【表１４】
2013514151.tif 000017
【０１４３】
微生物を減少させる作用について、悪臭結合ポリマーを含有しない対照調合物である調合物ＩＸと調合物Ｘを比較する。図２は、非残留性の布地清浄剤の黄色ブドウ球菌（ＡＴＣＣ  ６５３８）、黒色アスペルギルス（ＡＴＣＣ  ６２７５）、ミラビリス変形菌（ＡＴＣＣ  ７００２）、及び緑膿菌（ＡＴＣＣ  １５４４２）に対する効能について試験した場合の、ＰＥＩを有する調合物と有さない調合物の結果を示している。
【０１４４】
調合物の効能は、ＡＯＡＣ  Ｇｅｒｍｉｃｉｄａｌ  Ｓｐｒａｙ  Ｐｒｏｄｕｃｔｓ  Ｔｅｓｔの方法（９６１．０２）を量的に修正したものであるＮｏｒｔｈ  Ａｍｅｒｉｃａ  Ｂａｃｔｅｒｉｃｉｄａｌ  Ｆａｂｒｉｃ  Ｓｐｒａｙ  Ｔｅｓｔ  Ｍｅｔｈｏｄを用いて評価した。この方法は、Ｕ．Ｓ．ＥＰＡ  Ｐｅｓｔｉｃｉｄｅ  Ａｓｓｅｓｓｍｅｎｔ  Ｇｕｉｄｅｌｉｎｅｓ  Ｓｕｂｄｉｖｉｓｉｏｎ  Ｇ，Ｓｅｒｉｅｓ  ９１−５２（ｂ）（１）に準拠した公認の試験基準である。参照したＡＯＡＣの方法を布地表面に適用した。それぞれの調合物を含むトリガースプレーボトルのトリガーを２回完全に引くことによって、Ｔｅｓｔｆａｂｒｉｃｓ  Ｉｎｃ．から入手できるような布地小片（１．５インチ（３．８ｃｍ）、青色のオクスフォードコットン１００％）を処理した。Ｓｕｂｄｉｖｉｓｉｏｎ  Ｇ，Ｓｅｒｉｅｓ  ９１−１（ｂ）（４）（ｉ）に規定されているように、スプレーした布地表面の推定保存時間として、周囲温度における１０〜３０分の接触時間を選択した。いずれかの過剰な液体を排出してから、２０ｍＬの中和剤及び／又は増殖促進ブロスを含む広口瓶に移す。この広口瓶をボルテックスにより混合し、続いてＢｒａｎｓｏｎ  Ｂｒａｎｓｏｎｉｃ  Ｕｌｔｒａｓｏｎｉｃ  Ｓｏｎｉｃａｔｏｒ内で５分間音波処理する。中和してから３０分以内に、広口瓶をボルテックス型ミキサーで２〜３秒混ぜてから、段階希釈する。すべてのサンプルを適切な条件下でインキュベートし（４８±４時間）、増殖の有無をモニタリングした。サンプルを平板培養して計数し、平均ｌｏｇ１０減少値を割り出す。
【０１４５】
アミン系及びイオウ系悪臭における揮発性アルデヒドの効果
１ｍＬのブチルアミン（アミン系悪臭）及びブタンチオール（イオウ系悪臭）を１．２リットルのガスサンプリングバッグの中にピペットで加えることにより、悪臭標準物質を調製する。次に、このバッグに窒素を容量まで充填し、少なくとも１２時間にわたって静置して、平衡状態にする。
【０１４６】
表６に列挙した各揮発性アルデヒドと表１〜３に列挙した各アコード（Ａ、Ｂ及びＣ）の１μＬ試料をそれぞれ１０ｍＬシラン処理済みヘッドスペースバイアル瓶の中にピペットで加える。バイアル瓶を密封し、少なくとも１２時間にわたって平衡化させる。各試料について４回繰り返す（ブチルアミン分析のために２回、ブタンチオール分析のために２回）。
【０１４７】
平衡時間後、１．５ｍＬの目的の悪臭標準物質を、揮発性アルデヒド又はアコード試料を含む各バイアル瓶に注入する。チオール分析のために、システム中に注入する前に、試料を室温で３０分間保持する。チオール試料のために、１ｍＬのヘッドスペース注射器を２５０μＬの各試料をシステムに注入するのに使用する。アミン分析のために、悪臭を導入した直後に、試料をシステムに注入する。アミン試料のために、１ｍＬのヘッドスペース注射器を５００μＬの各試料をシステムに注入するのに使用する。アミン分析のためにＧＣピローを使用して、実行時間を短縮する。次に、静的ヘッドスペース機能を持つＭＰＳ−２オートサンプラー装置を使用し、ＤＢ−５の２０ｍで膜厚１μｍのカラムによりＧＣ／ＭＳを使用して、試料を分析する。各イオン電流についてのイオン抽出によりデータを分析し（チオールについては５６、アミンについては３０）、面積を使用して、各試料について悪臭標準物質から減少パーセントを計算する。
【０１４８】
表８は、それぞれ４０秒及び３０分の時点のアミン系及びイオウ系悪臭の中和における特定の揮発性アルデヒドの効果を示す。
【０１４９】
【表１５】
2013514151.tif 000018
【０１５０】
表９は、それぞれアコードＡ、Ｂ及びＣの、４０秒及び３０分の時点でのブチルアミン及びブタンチオールの減少パーセントを示す。
【０１５１】
【表１６】
2013514151.tif 000019
【０１５２】
感覚試験−イオウ系悪臭における揮発性アルデヒドの効果
Ｐｒｅｓｔｏ（商標）スキレットを換気フードの中に置き、２５０°Ｆ（１２１℃）にする。８０グラムのＣｒｉｓｃｏ（登録商標）油をスキレットの中に置き、スキレットの蓋で覆う。平衡化のために１０分そのままにしておく。スキレットの蓋を取り外し、温度計で油の温度をチェックする。５０グラムの刻んだ商業的に調製された水中ニンニクをスキレットの中に置く。スキレットを蓋で覆う。２．５分にわたって又はニンニクが半透明になるまで調理する。一部は茶色に変色し始めるが、焦げてはいない。ニンニクをスキレットから取り出す。４枚のペトリ皿の各々に５グラムのニンニクを置く。各ペトリ皿にカバーを置く。
【０１５３】
カバーで覆ったペトリ皿各々を個々の試験チャンバの中に置く。各試験チャンバは、幅３９．２５インチ（９９．６７ｃｍ）、深さ２５インチ（６３．５ｃｍ）、高さ２１．５インチ（５４．６ｃｍ）であり、１２．２立方フィート（０．３４立方メートル）の容量を有する。試験チャンバは、Ｅｌｅｃｔｒｏ−Ｔｅｃｈ  Ｓｙｓｔｅｍｓ（Ｇｌｅｎｓｉｄｅ，ＰＡ）から購入することができる。各試験チャンバは、Ｎｅｗａｒｋ  Ｅｌｅｃｔｒｏｎｉｃｓ（Ｃｈｉｃａｇｏ，ＩＬ）から購入されるファン（Ｎｅｗａｒｋカタログ番号７０Ｋ９９３２，１１５  ＶＡＣ，９０ＣＦＭ）を装備する。
【０１５４】
ペトリ皿の蓋を取り外して、７０〜８０の開始臭気強度段階を提供するのに十分な滞留時間（約１分）にわたって悪臭に暴露する。いったん試験チャンバが開始臭気強度段階に到達したら、試験チャンバからペトリ皿を取り出す。
【０１５５】
次に、Ｐ＆Ｇから販売されている３つのＮｏｔｉｃｅａｂｌｅｓ（登録商標）エアフレッシュニング装置の各々を、表１０に示される対照組成物で充填する。
【０１５６】
【表１７】
2013514151.tif 000020
【０１５７】
装置は、低強度位置に設定し、４つの試験チャンバのうちの３つの中にコンセントを差し込む。すべての扉は閉まっている。
【０１５８】
５、１５、２０、３０、４５及び６０分の時点で、訓練を受けた評価者が各チャンバを開け、悪臭強度についてチャンバの臭気を嗅ぎ、表１１の尺度に基づいて悪臭スコアを付ける。逐次評価者が入れ替わる間、チャンバの扉は閉まっているが、鍵はかけられていない。スコアは集計され、各時間間隔についての平均スコアが記録される。
【０１５９】
【表１８】
2013514151.tif 000021
【０１６０】
３つのＮｏｔｉｃｅａｂｌｅｓエアフレッシュニング装置において、上述のプロトコルを表１２に示されるプロトタイプＩを使用して繰り返す。
【０１６１】
【表１９】
2013514151.tif 000022
【０１６２】
３つのＮｏｔｉｃｅａｂｌｅｓ（登録商標）エアフレッシュニング装置において、表１３に示されるプロトタイプ２を使用して上述のプロトコルを繰り返す。
【０１６３】
【表２０】
2013514151.tif 000023
【０１６４】
図３は、１０％の本発明の悪臭制御組成物を有する配合物が、このような悪臭制御組成物を欠く対照組成物よりも多くのニンニクの悪臭を減少することを示す。
【０１６５】
感覚試験−アミン系悪臭における揮発性アルデヒドの効果
新鮮なアカウオ（ocean perch）の切り身を皮から剥がし、Ｍａｇｉｃ  Ｂｕｌｌｅｔ（商標）フードチョッパーに入れる。魚肉を３５〜４０秒にわたって刻む。２５グラムの刻んだ魚を計量し、６０×１５ｍｍペトリ皿の中にぴったり収まるようにパテにする。更に３回繰り返すことで、その結果、４枚のペトリ皿の各々に１つの魚パテが存在するようになる。４０ｇのＣｒｉｓｃｏ（登録商標）油をＰｒｅｓｔｏ（商標）スキレットに加える。スキレットに蓋を置き、３５０°Ｆ（１７７℃）にする。平衡化のために１０分そのままにしておく。蓋を取り外す。各パテの真ん中にスリットを刻み、１つのパテをスキレットの中に置き、揚げ始める。蓋を再び置く。２．５分後、魚パテをひっくり返し、更に２．５分揚げる。スキレットから魚パテを取り出し、１０秒にわたってペーパータオル上で簡単に拭く。残りの３つのパテを同様に揚げる。各魚パテを６０×１５ｍｍのペトリ皿の中に置き、蓋で覆う。
【０１６６】
魚パテを収容する各ペトリ皿を個々の試験チャンバの中に入れる。試験チャンバの仕様は、上記イオウ系（ニンニク）悪臭試験におけるものと同一である。蓋を取り外して、７０〜８０の開始臭気強度段階を提供するのに十分な滞留時間（約１分）にわたって悪臭に暴露する。いったん試験チャンバが開始臭気強度段階に到達したら、試験チャンバからペトリ皿を取り出す。
【０１６７】
次に、Ｐ＆Ｇから販売されている３つのＮｏｔｉｃｅａｂｌｅｓ（登録商標）エアフレッシュニング装置の各々を、表１０で概説される対照組成物で充填する。装置は、低強度位置に設定し、４つの試験チャンバのうちの３つの中にコンセントを差し込む。すべての扉は閉まっている。
【０１６８】
５、１５、２０、３０、４５及び６０分の時点で、訓練を受けた評価者が各チャンバを開け、悪臭強度についてチャンバの臭気を嗅ぎ、表９の尺度に基づいて悪臭スコアを付ける。逐次評価者が入れ替わる間、チャンバの扉は閉まっているが、鍵はかけられていない。スコアは集計され、各時間間隔についての平均スコアが記録される。
【０１６９】
３つのＮｏｔｉｃｅａｂｌｅｓエアフレッシュニング装置において、上述のプロトコルを表１０に示されるプロトタイプＩを使用して繰り返す。３つのＮｏｔｉｃｅａｂｌｅｓ（登録商標）エアフレッシュニング装置において、表１１に示されるプロトタイプ２を使用して上述のプロトコルも繰り返す。
【０１７０】
図４は、１０％の本発明の悪臭制御組成物を有する配合物が、このような悪臭制御組成物を欠く対照よりも多くの魚の悪臭を減少することを示す。
【０１７１】
イオウ系悪臭における酸触媒の効果
１ｍＬのブタンチオール（イオウ系悪臭）を１．２リットルのガスサンプリングバッグの中にピペットで加えることにより、悪臭標準物質を調製する。次に、このバッグに窒素を容量まで充填し、少なくとも１２時間にわたって静置して、平衡状態にする。
【０１７２】
以下の各試料の１μＬアリコートを、１０ｍＬシラン処理済みヘッドスペースバイアル瓶の中にピペットでそれぞれ２つずつ加える。以下の試料を分析する：対照としてのチオフェンカルボキシアルデヒド、及びチオフェンカルボキシアルデヒドとＤＰＭ中０．０４％、ＤＰＭ中０．１０％、ＤＰＭ中０．４３％、ＤＰＭ中１．０２％及びＤＰＭ中２．０４％での以下の酸触媒−フェノール、メシチレン酸、カプリル酸、コハク酸、ピバル酸、チグリン酸及び安息香酸−各々との５０／５０混合物をそれぞれ１０ｍＬシラン処理済みヘッドスペースバイアル瓶にピペットを用いて加える。バイアル瓶を密封し、少なくとも１２時間にわたって平衡化させる。
【０１７３】
平衡時間後、１．５ｍＬの目的の悪臭標準物質を、試料を含む各バイアル瓶に注入する。注入する前に、試料を室温で３０分間保持する。次に、静的ヘッドスペース機能を持つＭＰＳ−２オートサンプラー装置を使用し、ＤＢ−５の２０ｍで膜厚１μｍのカラムによりＧＣ／ＭＳを使用して、試料を分析する。１ｍＬのヘッドスペース注射器を２５０μＬの各試料をシステムに注入するのに使用する。この試料とともに、少なくとも２つの悪臭標準物質を対応する方法で分析する。各イオン電流についてのイオン抽出によりデータを分析し（チオールにおいて５６）、面積を使用して、各酸触媒試料について悪臭標準物質から減少％を計算する。
【０１７４】
図５は、低蒸気圧酸触媒が、対照と比較して最大で３倍良好なイオウ系悪臭の除去を提供することを示す。
【０１７５】
本明細書に記述されるすべての百分率は、特に指定のない限り、重量による。本明細書を通して記載されているあらゆる最大数値限定は、それより小さいあらゆる数値限定を、こうしたそれより小さい数値限定があたかも本明細書に明確に記載されているかのように包含することを理解すべきである。本明細書全体を通じて記載される最小数値限定は、それより大きいあらゆる数値限定を、そのような大きい数値限定が本明細書に明確に記載されているかのように包含する。本明細書全体を通じて記載される数値範囲は、そのようなより広い数値範囲内に入るそれよりも狭いあらゆる数値範囲を、そのようなより狭い数値範囲がすべて本明細書に明確に記載されているかのように包含する。
【０１７６】
本明細書で開示した寸法及び値は、列挙した厳密な数値に厳格に限定されるものとして解釈されるものではない。むしろ、別段の指定がない限り、そのような各寸法は、列挙した値と、その値を包含する機能的に等価な範囲との双方を意味することを意図したものである。例えば、「４０ｍｍ」として開示した寸法は、「約４０ｍｍ」を意味することを意図したものである。
【０１７７】
相互参照される又は関連するあらゆる特許又は出願書類を含め、本明細書において引用されるすべての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【０１７８】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１】
2013514151.tif 000024
【図２】
2013514151.tif 000025
【図３】
2013514151.tif 000026
【図４】
2013514151.tif 000027
【図５】
2013514151.tif 000028
【国際調査報告】
2013514151.tif 000029
2013514151.tif 000030
2013514151.tif 000031
2013514151.tif 000032
2013514151.tif 000033